(57)【特許請求の範囲】
【請求項１】
復調参照信号(DMRS)送信方法であって、
ネットワークデバイスにより、周波数ホッピングモードに対応するDMRSパターンを決定するステップであり、前記周波数ホッピングモードは、1つのリソーススケジューリングユニット内のいくつかのシンボルが第1の周波数帯域に位置し、いくつかの他のシンボルが第2の周波数帯域に位置することを示す、ステップと、
前記ネットワークデバイスにより、前記DMRSパターンを使用することにより、DMRSマッピングを実行するステップと、
前記ネットワークデバイスにより、前記DMRSパターンに対応する追加DMRS構成パラメータを端末デバイスに送信するステップであり、前記追加DMRS構成パラメータは、以下のもの、すなわち、追加DMRSが存在するか否か、前記追加DMRSの数量及び前記追加DMRSの位置のうち少なくとも1つを示すために使用され、前記追加DMRSは、前方部分のDMRSの後に位置する他のシーケンスのDMRSを示す、ステップと
を含む方法。
【請求項２】
前記DMRSパターンにおけるDMRSのシーケンスの数量を決定するための前記追加DMRS構成パラメータは、前記周波数ホッピングモード及び非周波数ホッピングモードの双方について同じであり、
前記周波数ホッピングモードの前記DMRSパターンにおけるDMRSのシーケンスの数量は、前記非周波数ホッピングモードの数量とは異なる、請求項１に記載の方法。
【請求項３】
追加DMRSが前記追加DMRS構成パラメータにおいて構成されていないとき、前記周波数ホッピングモードに対応する前記DMRSパターンにおいて、1つのシーケンスのDMRSのみが前記第1の周波数帯域に存在し、1つのシーケンスのDMRSのみが前記第2の周波数帯域に存在する、請求項１に記載の方法。
【請求項４】
追加DMRSが前記追加DMRS構成パラメータにおいて構成されているとき、1つのシーケンス又は2つのシーケンスのDMRSが、前記周波数ホッピングモードに対応する前記DMRSパターンにおいて前記第1の周波数帯域及び前記第2の周波数帯域のそれぞれに存在する、請求項１に記載の方法。
【請求項５】
前記第1の周波数帯域又は前記第2の周波数帯域がDMRS間隔要件を満たさないとき、前記第1の周波数帯域又は前記第2の周波数帯域は、1つのシーケンスのDMRSのみを含む、請求項４に記載の方法。
【請求項６】
前記第2の周波数帯域内の1つのシーケンスのDMRSは、前記第2の周波数帯域内の第1シンボルに位置する、請求項３又は５に記載の方法。
【請求項７】
前記第1の周波数帯域又は前記第2の周波数帯域がDMRS間隔要件を満たすとき、前記第1の周波数帯域又は前記第2の周波数帯域は、2つのシーケンスのDMRSを含む、請求項４に記載の方法。
【請求項８】
前記DMRS間隔要件を満たす前記第1の周波数帯域又は前記第2の周波数帯域内の前記2つのシーケンスのDMRSのうち第2のシーケンスのDMRSは、前記2つのシーケンスのDMRSのうち第1のシーケンスのDMRSの後の第4シンボルに位置する、請求項７に記載の方法。
【請求項９】
前記第2の周波数帯域内の前記2つのシーケンスのDMRSのうち第1のシーケンスのDMRSは、前記第2の周波数帯域内の第1シンボルに位置する、請求項７又は８に記載の方法。
【請求項１０】
追加DMRSが前記追加DMRS構成パラメータにおいて構成されているとき、前記ネットワークデバイスは、前記第1の周波数帯域又は前記第2の周波数帯域がDMRS間隔要件を満たさないときに周波数ホッピングを実行しないと決定するか、或いは
前記第1の周波数帯域及び前記第2の周波数帯域のそれぞれは、前記第1の周波数帯域及び前記第2の周波数帯域がDMRS間隔要件を満たすときに2つのシーケンスのDMRSを含む、請求項１に記載の方法。
【請求項１１】
前記DMRS間隔要件は、周波数帯域内の2つのシーケンスのDMRSの間に3つのシンボルが存在することである、請求項６乃至１０のうちいずれか１項に記載の方法。
【請求項１２】
処理ユニット及び送信ユニットを含むネットワークデバイスであって、
前記処理ユニットは、周波数ホッピングモードに対応する復調参照信号(DMRS)パターンを決定するように構成され、前記周波数ホッピングモードは、1つのリソーススケジューリングユニット内のいくつかのシンボルが第1の周波数帯域に位置し、いくつかの他のシンボルが第2の周波数帯域に位置することを示し、
前記処理ユニットは、前記DMRSパターンを使用することにより、DMRSマッピングを実行するように更に構成され、
前記送信ユニットは、前記DMRSパターンに対応する追加DMRS構成パラメータを端末デバイスに送信するように構成され、前記追加DMRS構成パラメータは、以下のもの、すなわち、前記追加DMRSが存在するか否か、前記追加DMRSの数量及び前記追加DMRSの位置のうち少なくとも1つを示し、前記追加DMRSは、前方部分のDMRSの後に位置する他のシーケンスのDMRSを示す、ネットワークデバイス。
【請求項１３】
前記DMRSパターンにおけるDMRSのシーケンスの数量を決定するための前記追加DMRS構成パラメータは、前記周波数ホッピングモード及び非周波数ホッピングモードの双方について同じであり、
前記周波数ホッピングモードの前記DMRSパターンにおけるDMRSのシーケンスの数量は、前記非周波数ホッピングモードの数量とは異なる、請求項１２に記載のネットワークデバイス。
【請求項１４】
追加DMRSが前記追加DMRS構成パラメータにおいて構成されていないとき、前記処理ユニットにより決定された前記周波数ホッピングモードに対応する前記DMRSパターンにおいて、1つのシーケンスのDMRSのみが前記第1の周波数帯域に存在し、1つのシーケンスのDMRSのみが前記第2の周波数帯域に存在する、請求項１２に記載のネットワークデバイス。
【請求項１５】
追加DMRSが前記追加DMRS構成パラメータにおいて構成されているとき、1つのシーケンス又は2つのシーケンスのDMRSが、前記処理ユニットにより決定された前記周波数ホッピングモードに対応する前記DMRSパターンにおいて前記第1の周波数帯域及び前記第2の周波数帯域のそれぞれに存在する、請求項１２に記載のネットワークデバイス。
【請求項１６】
前記第1の周波数帯域又は前記第2の周波数帯域がDMRS間隔要件を満たさないとき、前記第1の周波数帯域又は前記第2の周波数帯域は、1つのシーケンスのDMRSのみを含む、請求項１５に記載のネットワークデバイス。
【請求項１７】
前記第2の周波数帯域内の1つのシーケンスのDMRSは、前記第2の周波数帯域内の第1シンボルに位置する、請求項１４又は１６に記載のネットワークデバイス。
【請求項１８】
前記第1の周波数帯域又は前記第2の周波数帯域がDMRS間隔要件を満たすとき、前記第1の周波数帯域又は前記第2の周波数帯域は、2つのシーケンスのDMRSを含む、請求項１５に記載のネットワークデバイス。
【請求項１９】
前記DMRS間隔要件を満たす前記第1の周波数帯域又は前記第2の周波数帯域内の前記2つのシーケンスのDMRSのうち第2のシーケンスのDMRSは、前記2つのシーケンスのDMRSのうち第1のシーケンスのDMRSの後の第4シンボルに位置する、請求項１８に記載のネットワークデバイス。
【請求項２０】
前記第2の周波数帯域内の前記2つのシーケンスのDMRSのうち第1のシーケンスのDMRSは、前記第2の周波数帯域内の第1シンボルに位置する、請求項１８に記載のネットワークデバイス。
【請求項２１】
追加DMRSが前記追加DMRS構成パラメータにおいて構成されているとき、前記処理ユニットは、前記第1の周波数帯域又は前記第2の周波数帯域がDMRS間隔要件を満たさないときに周波数ホッピングを実行しないと決定するか、或いは
前記第1の周波数帯域及び前記第2の周波数帯域がDMRS間隔要件を満たすとき、前記処理ユニットは、前記第1の周波数帯域及び前記第2の周波数帯域のそれぞれが2つのシーケンスのDMRSを含むと決定する、請求項１２に記載のネットワークデバイス。
【請求項２２】
前記DMRS間隔要件は、周波数帯域内の2つのシーケンスのDMRSの間に3つのシンボルが存在することである、請求項１６乃至２１のうちいずれか１項に記載のネットワークデバイス。
【請求項２３】
復調参照信号(DMRS)送信方法であって、
端末デバイスにより、追加復調参照信号(DMRS)構成パラメータを受信するステップであり、前記追加DMRS構成パラメータは、以下のもの、すなわち、追加DMRSが存在するか否か、追加DMRSの数量及び追加DMRSの位置のうち少なくとも1つを示すために使用され、前記追加DMRSは、前方部分のDMRSの後に位置する他のシーケンスのDMRSである、ステップと、
前記端末デバイスにより、前記受信した追加DMRS構成パラメータに基づいて、周波数ホッピングモードに対応するDMRSパターンを決定するステップであり、前記周波数ホッピングモードは、1つのリソーススケジューリングユニット内のいくつかのシンボルが第1の周波数帯域に位置し、いくつかの他のシンボルが第2の周波数帯域に位置することを示す、ステップと、
前記端末デバイスにより、前記DMRSパターンを使用することにより、DMRSデマッピングを実行するステップと
を含む方法。
【請求項２４】
前記周波数ホッピングモードにおいて同じ追加DMRS構成パラメータを使用することにより前記端末デバイスにより決定された、前記DMRSパターンにおけるDMRSのシーケンスの数量は、非周波数ホッピングモードにおける数量とは異なる、請求項２３に記載の方法。
【請求項２５】
前記追加DMRSが前記追加DMRS構成パラメータにおいて構成されていないとき、前記周波数ホッピングモードに対応する前記DMRSパターンにおいて、1つのシーケンスのDMRSのみが前記第1の周波数帯域に存在し、1つのシーケンスのDMRSのみが前記第2の周波数帯域に存在する、請求項２３に記載の方法。
【請求項２６】
前記追加DMRSが前記追加DMRS構成パラメータにおいて構成されているとき、1つのシーケンス又は2つのシーケンスのDMRSが、前記周波数ホッピングモードに対応する前記DMRSパターンにおいて前記第1の周波数帯域及び前記第2の周波数帯域のそれぞれに存在する、請求項２３に記載の方法。
【請求項２７】
前記第1の周波数帯域又は前記第2の周波数帯域は、1つのシーケンスのDMRSのみを含む、請求項２６に記載の方法。
【請求項２８】
前記第2の周波数帯域内の1つのシーケンスのDMRSは、前記第2の周波数帯域内の第1シンボルに位置する、請求項２５又は２７に記載の方法。
【請求項２９】
前記第1の周波数帯域又は前記第2の周波数帯域は、2つのシーケンスのDMRSを含む、請求項２６に記載の方法。
【請求項３０】
前記第1の周波数帯域又は前記第2の周波数帯域内の前記2つのシーケンスのDMRSのうち第2のシーケンスのDMRSは、前記2つのシーケンスのDMRSのうち第1のシーケンスのDMRSの後の第4シンボルに位置する、請求項２９に記載の方法。
【請求項３１】
前記第2の周波数帯域内の前記2つのシーケンスのDMRSのうち第1のシーケンスのDMRSは、前記第2の周波数帯域内の第1シンボルに位置する、請求項２９又は３０に記載の方法。
【請求項３２】
前記第1の周波数帯域及び前記第2の周波数帯域のそれぞれは、2つのシーケンスのDMRSを含む、請求項２３に記載の方法。
【請求項３３】
少なくとも1つのプロセッサ及び受信機を含む端末デバイスであって、
前記受信機は、追加復調参照信号(DMRS)構成パラメータを受信するように構成され、前記追加DMRS構成パラメータは、以下のもの、すなわち、追加DMRSが存在するか否か、追加DMRSの数量及び追加DMRSの位置のうち少なくとも1つを示すために使用され、前記追加DMRSは、前方部分のDMRSの後に位置する他のシーケンスのDMRSであり、
前記少なくとも1つのプロセッサは、前記受信機により受信された前記追加DMRS構成パラメータを使用することにより、周波数ホッピングモードに対応するDMRSパターンを決定するように構成され、前記周波数ホッピングモードは、1つのリソーススケジューリングユニット内のいくつかのシンボルが第1の周波数帯域に位置し、いくつかの他のシンボルが第2の周波数帯域に位置することを示し、
前記少なくとも1つのプロセッサは、前記DMRSパターンを使用することにより、DMRSデマッピングを実行するように更に構成される、端末デバイス。
【請求項３４】
前記周波数ホッピングモードにおいて同じ追加DMRS構成パラメータを使用することにより前記プロセッサにより決定された、前記DMRSパターンにおけるDMRSのシーケンスの数量は、非周波数ホッピングモードにおける数量とは異なる、請求項３３に記載の端末デバイス。
【請求項３５】
前記追加DMRSが前記追加DMRS構成パラメータにおいて構成されていないとき、前記プロセッサにより決定された前記周波数ホッピングモードに対応する前記DMRSパターンにおいて、1つのシーケンスのDMRSのみが前記第1の周波数帯域に存在し、1つのシーケンスのDMRSのみが前記第2の周波数帯域に存在する、請求項３３に記載の端末デバイス。
【請求項３６】
前記追加DMRSが前記追加DMRS構成パラメータにおいて構成されているとき、1つのシーケンス又は2つのシーケンスのDMRSが、前記プロセッサにより決定された前記周波数ホッピングモードに対応する前記DMRSパターンにおいて前記第1の周波数帯域及び前記第2の周波数帯域のそれぞれに存在する、請求項３３に記載の端末デバイス。
【請求項３７】
前記第1の周波数帯域又は前記第2の周波数帯域は、1つのシーケンスのDMRSのみを含む、請求項３６に記載の端末デバイス。
【請求項３８】
前記第2の周波数帯域内の1つのシーケンスのDMRSは、前記第2の周波数帯域内の第1シンボルに位置する、請求項３５又は３７に記載の端末デバイス。
【請求項３９】
前記第1の周波数帯域又は前記第2の周波数帯域は、2つのシーケンスのDMRSを含む、請求項３６に記載の端末デバイス。
【請求項４０】
前記第1の周波数帯域又は前記第2の周波数帯域内の前記2つのシーケンスのDMRSのうち第2のシーケンスのDMRSは、前記2つのシーケンスのDMRSのうち第1のシーケンスのDMRSの後の第4シンボルに位置する、請求項３９に記載の端末デバイス。
【請求項４１】
前記第2の周波数帯域内の前記2つのシーケンスのDMRSのうち第1のシーケンスのDMRSは、前記第2の周波数帯域内の第1シンボルに位置する、請求項３９に記載の端末デバイス。
【請求項４２】
前記第1の周波数帯域及び前記第2の周波数帯域のそれぞれは、2つのシーケンスのDMRSを含む、請求項３４に記載の端末デバイス。
【請求項４３】
チップであって、前記チップは、少なくとも1つのプログラム可能論理回路及びプログラム命令を含み、実行するときに、前記チップは、
追加復調参照信号(DMRS)構成パラメータの受信を制御するステップであり、前記追加DMRS構成パラメータは、以下のもの、すなわち、追加DMRSが存在するか否か、追加DMRSの数量及び追加DMRSの位置のうち少なくとも1つを示すために使用され、前記追加DMRSは、前方部分のDMRSの後に位置する他のシーケンスのDMRSである、ステップと、
前記受信した追加DMRS構成パラメータに基づいて、周波数ホッピングモードに対応するDMRSパターンを決定するステップであり、前記周波数ホッピングモードは、1つのリソーススケジューリングユニット内のいくつかのシンボルが第1の周波数帯域に位置し、いくつかの他のシンボルが第2の周波数帯域に位置することを示す、ステップと、
前記DMRSパターンを使用することにより、DMRSデマッピングを実行するステップと
を含む復調参照信号(DMRS)送信方法を実行するように構成される、チップ。
【請求項４４】
命令を含む非一時的なコンピュータ読み取り可能記憶媒体であって、前記命令がコンピュータ上で実行するとき、前記コンピュータは、
追加復調参照信号(DMRS)構成パラメータを受信するステップであり、前記追加DMRS構成パラメータは、以下のもの、すなわち、追加DMRSが存在するか否か、追加DMRSの数量及び追加DMRSの位置のうち少なくとも1つを示すために使用され、前記追加DMRSは、前方部分のDMRSの後に位置する他のシーケンスのDMRSである、ステップと、
前記受信した追加DMRS構成パラメータに基づいて、周波数ホッピングモードに対応するDMRSパターンを決定するステップであり、前記周波数ホッピングモードは、1つのリソーススケジューリングユニット内のいくつかのシンボルが第1の周波数帯域に位置し、いくつかの他のシンボルが第2の周波数帯域に位置することを示す、ステップと、
前記DMRSパターンを使用することにより、DMRSデマッピングを実行するステップと
を含む復調参照信号(DMRS)送信方法を実行する、非一時的なコンピュータ読み取り可能記憶媒体。
【発明の詳細な説明】
【技術分野】
【０００１】
［関連出願への相互参照］
この出願は、2017年9月8日に国家知識産権局に出願された「DMRS  TRANSMISSION  METHOD  AND  COMMUNICATIONS  DEVICE」という名称の中国特許出願第201710808095.3号、及び2017年7月17日に中国特許庁に出願された「DMRS  TRANSMISSION  METHOD  AND  COMMUNICATIONS  DEVICE」という名称の中国特許出願第201710583011.0号の優先権を主張するものであり、それらの全内容を参照により援用する。
【０００２】
［技術分野］
この出願は、通信分野に関し、より具体的には、DMRS送信方法及び通信デバイスに関する。
【背景技術】
【０００３】
既存の通信システムでは、データ送信中に、送信端デバイス(例えば、アップリンク送信中の端末デバイス又はダウンリンク送信中のネットワークデバイスである)は、復調参照信号(demodulation  reference  signal,  DMRS)を送信する必要があり、それにより、受信端デバイス(例えば、アップリンク送信中のネットワークデバイス又はダウンリンク送信中の端末デバイスである)は、DMRSに基づいてデータを復調する。
【０００４】
通常では、送信端デバイスは、予め設定されたDMRSパターンに基づいてDMRSを送信する。例えば、ロングタームエボリューション(long  term  evolution,  LTE)システムでは、例えば、通常サイクリックプレフィックス(normal  cyclic  prefix)について、物理アップリンク共有チャネル(physical  uplink  shared  channel,  PUSCH)復調に使用されるDMRSは、通常では、リソーススケジューリングユニットの第4シンボル(symbol)及び第11シンボルを常に占有する。他の例では、新無線(new  radio,  NR)システムは、迅速なフィードバック要件を有する。したがって、NRシステムにおけるDMRSパターン(pattern)では、DMRSは、リソーススケジューリングユニットの前方部分(front  loaded)のシンボルを常に占める。
【０００５】
新無線(new  radio,  NR)システムにおけるリソーススケジューリングユニットは、異なるシナリオに基づいて異なるモードに柔軟に変更されてもよい。例えば、リソーススケジューリングユニットは、周波数ホッピングモード、すなわち、リソーススケジューリングユニットにおける周波数ホッピング(frequency  hopping)送信に対して変更されてもよく、或いは集約モード、すなわち、複数のリソーススケジューリングユニットの集約(aggregation)送信に対して変更されてもよい。
【０００６】
しかし、リソーススケジューリングユニットのモードが変更されたときに、DMRSが依然として予め設定されたDMRSパターンに基づいてDMRSを常に送信する方式で送信される場合、DMRSリソースの浪費又は受信端の劣った復調性能のような悪影響が引き起こされる。その結果、ネットワーク性能が影響を受ける。
【発明の概要】
【０００７】
この出願は、ネットワーク性能を改善するための、DMRS送信方法及び通信デバイスを提供する。
【０００８】
第1の態様によれば、DMRS送信方法が提供される。当該方法は、
通信デバイスにより、リソーススケジューリングユニットの現在のモードを決定するステップであり、現在のモードは、周波数ホッピングモード又は集約モードであり、周波数ホッピングモードは、1つのリソーススケジューリングユニット内のいくつかのシンボルが第1の周波数帯域に位置し、いくつかの他のシンボルが第2の周波数帯域に位置することを示し、集約モードは、複数のリソーススケジューリングユニットの集約送信を示す、ステップと、通信デバイスにより、現在のモードに対応するDMRSパターンを使用することにより、DMRSマッピング又はデマッピングを実行するステップであり、現在のモードに対応するDMRSパターンにおけるDMRSにより占有されるシンボルの位置は、予め設定されたDMRSパターンにおけるDMRSにより占有されるシンボルの位置とは異なる、ステップとを含む。
【０００９】
当該方法は、通信デバイスにより実行されてもよく、通信デバイスは、ネットワークデバイス又は端末デバイスでもよいことが理解されるべきである。
【００１０】
この出願のこの実施形態では、シンボルは、時間単位を示し、ここでのシンボルは、代替としてOFDMシンボルと呼ばれてもよく、この出願のこの実施形態はそのことに限定されないことが理解されるべきである。
【００１１】
この出願のこの実施形態での1つのリソースユニットは、n個のシンボルを含んでもよく、nは2以上の整数であることが更に理解されるべきである。例えば、nは7、14又は2〜13のいずれかの値であり、この出願のこの実施形態はそのことに限定されない。
【００１２】
この出願のこの実施形態では、DMRSパターンは、代替としてDMRS分布情報又はDMRS属性と呼ばれてもよく、DMRSパターンは、DMRSにより占有されるシンボルの位置及び数量を示すことができ、この出願のこの実施形態はそのことに限定されないことが理解されるべきである。
【００１３】
データを送信するとき、通信デバイスは、現在のモードに対応するDMRSパターンに基づいてDMRSマッピングを実行し、データを受信するとき、通信デバイスは、現在のモードに対応するDMRSパターンに基づいてDMRSデマッピングを実行することが理解されるべきである。
【００１４】
例えば、通信デバイスはネットワークデバイスであり、アップリンク送信を実行するとき、通信デバイスは、現在のモードに対応するDMRSパターンを使用することにより、DMRSデマッピングを実行し、ダウンリンク送信を実行するとき、通信デバイスは、現在のモードに対応するDMRSパターンを使用することにより、DMRSマッピングを実行する。他の例では、通信デバイスは端末デバイスであり、アップリンク送信を実行するとき、通信デバイスは、現在のモードに対応するDMRSパターンを使用することにより、DMRSマッピングを実行し、ダウンリンク送信を実行するとき、通信デバイスは、現在のモードに対応するDMRSパターンを使用することにより、DMRSデマッピングを実行する。
【００１５】
この出願のこの実施形態では、予め設定されたDMRSパターンは、代替として、所定のパターン、デフォルトパターン又は第1のDMRSパターンと呼ばれてもよく、現在のモードに対応するDMRSパターンは、代替として、第2のDMRSパターンと呼ばれてもよいことが理解されるべきである。この出願のこの実施形態では、予め設定されたDMRSパターンは、第1のモード(すなわち、非周波数ホッピング及び非集約モード)において使用されるDMRSパターンを示す。
【００１６】
従来技術では、通信は、いずれかの送信モードにおいて予め設定されたDMRSパターンを使用することにより実行される。具体的には、DMRSにより占有されるシンボルの位置は、予め設定されたDMRSパターンにおけるDMRSにより占有されるシンボルの位置と同じである。しかし、いくつかの適用シナリオでは、リソーススケジューリングユニットのモードが変更されたとき、DMRSが依然としてDMRSを常に送信する既存の方式で送信される場合、予め設定されたDMRSパターンにおけるDMRSの分布方式は、異なるモードの要件を満たすのに困難であるので、DMRSリソースの浪費又は受信端の劣った復調性能のような悪影響が引き起こされる。その結果、ネットワーク性能が影響を受ける。
【００１７】
しかし、この出願のこの実施形態での異なるモードにおけるDMRSパターンは、予め設定されたパターンとは異なり、DMRSにより占有されるシンボルの位置は、この出願のこの実施形態では、異なるモードに基づいて柔軟に選択できる。したがって、この出願のこの実施形態では、異なるモードの要件が満たされることができ、それにより、ネットワーク性能を改善する。
【００１８】
通信デバイスがネットワークデバイスであるとき、ネットワークデバイスは、複数の方式で現在のモードを決定してもよい。
【００１９】
任意選択で、ネットワークデバイスは、端末デバイスにより報告されたチャネル状態情報及びセルのネットワーク状態に基づいて現在のモードを決定してもよい。
【００２０】
任意選択で、ネットワークデバイスは、端末デバイスにより使用される波形、例えば、シングルキャリア波形又はマルチキャリア波形に基づいて現在のモードを決定してもよい。例えば、端末デバイスがシングルキャリア波形を使用するとき、現在のモードは周波数ホッピングモードでもよく、端末デバイスがマルチキャリア波形を使用するとき、現在のモードは集約モードでもよい。この出願のこの実施形態はそのことに限定されない。例えば、端末デバイスがシングルキャリア波形を使用するとき、現在のモードは、代替として、集約モードでもよい。
【００２１】
任意選択で、ネットワークデバイスは、サービスタイプに基づいて現在のモードを決定してもよい。サービスタイプは、迅速な復調を要求するサービス、高送信性能を要求するサービス等を含んでもよい。
【００２２】
任意選択で、ネットワークデバイスは、端末デバイスにより送信された指示情報に基づいて現在のモードを決定してもよい。具体的には、端末デバイスは、ネットワーク状態又はサービス状態のような現在の状態に基づいて現在のモードを決定してもよく、次いで、端末デバイスは、現在のモードをネットワークデバイスに示す。この場合、端末デバイスは、指示情報をネットワークデバイスに送信し、それにより、ネットワークデバイスは、端末デバイスにより送信された指示情報に基づいて現在のモードを決定する。
【００２３】
任意選択で、第1の態様の実現方式では、通信デバイスはネットワークデバイスであり、当該方法は、通信デバイスにより、第1の指示情報を端末デバイスに送信するステップであり、第1の指示情報は、リソーススケジューリングユニットの現在のモードを決定するために端末デバイスにより使用される、ステップを更に含む。
【００２４】
任意選択で、第1の態様の実現方式では、通信デバイスはネットワークデバイスであり、当該方法は、通信デバイスにより、第2の指示情報を端末デバイスに送信するステップであり、第2の指示情報は、現在のモードに対応するDMRSパターンを示すために使用される、ステップを更に含む。
【００２５】
通信デバイスが端末デバイスであるとき、端末デバイスは、複数の方式で現在のモードを決定してもよい。
【００２６】
任意選択で、端末デバイスは、ネットワークデバイスの指示に基づいて現在のモードを決定してもよい。具体的には、端末デバイスは、ネットワークデバイスにより送信された第1の指示情報を受信してもよく、第1の指示情報は、現在のモードを決定するために端末デバイスにより使用される。第1の指示情報を取得した後に、端末デバイスは、第1の指示情報に従ってリソーススケジューリングユニットの現在のモードを決定してもよい。
【００２７】
第1の指示情報は、現在のモードが集約モード又は周波数ホッピングモードであることを直接的に示してもよいことが理解されるべきである。任意選択で、第1の指示情報は、現在のモードを間接的に示してもよい。例えば、第1の指示情報は、リソーススケジューリングユニットの長さを示し、端末デバイスは、リソーススケジューリングユニットの長さに基づいて現在のモードを決定してもよい。他の例では、第1の指示情報は、現在のサービスタイプを示し、端末デバイスは、サービスタイプに基づいて現在のモードを決定し、この出願のこの実施形態はそのことに限定されない。
【００２８】
ネットワークデバイスは、ダウンリンク制御情報(downlink  control  information,  DCI)、無線リソース制御(radio  resource  control,  RRC)シグナリング及び媒体アクセス制御(media  access  control,  MAC)制御エレメント(control  element,  CE)のような複数のタイプのシグナリングを使用することにより、第1の指示情報を端末デバイスに送信してもよいことが理解されるべきである。これはこの出願のこの実施形態では限定されない。
【００２９】
任意選択で、第1の態様の実現方式では、通信デバイスは端末デバイスであり、当該方法は、通信デバイスにより、ネットワークデバイスにより送信された第1の指示情報を受信するステップであり、第1の指示情報は、リソーススケジューリングユニットの現在のモードを決定するために端末デバイスにより使用される、ステップを更に含み、通信デバイスにより、リソーススケジューリングユニットの現在のモードを決定するステップは、通信デバイスにより、第1の指示情報に従って、現在のモードを決定するステップを含む。
【００３０】
任意選択で、第1の態様の実現方式では、通信デバイスは端末デバイスであり、当該方法は、通信デバイスにより、ネットワークデバイスにより送信された第2の指示情報を受信するステップであり、第2の指示情報は、現在のモードに対応するDMRSパターンを示すために使用される、ステップを更に含む。
【００３１】
ネットワークデバイスは、DCI、RRCシグナリング及びMAC  CEのような複数のタイプのシグナリングを使用することにより、第2の指示情報を端末デバイスに送信してもよいことが理解されるべきである。これはこの出願のこの実施形態では限定されない。
【００３２】
具体的には、ネットワークデバイスは、ネットワークデバイスが端末デバイスとデータ送信を実行するときにDMRSパターンを決定する必要があるので、ネットワークデバイスは、ネットワークデバイスが端末デバイスとデータ送信を実行するときに使用されるDMRSパターンを端末デバイスに通知し、端末デバイスは、DMRSパターンに基づいてDMRSの時間周波数リソース位置を決定してもよく、次いで、DMRSマッピング又はデマッピングを実行してもよい。
【００３３】
任意選択で、端末デバイスは、現在の状態に基づいて現在のモードを決定してもよい。例えば、端末デバイスは、ネットワーク状態又はサービス状態に基づいて現在のモードを決定し、次いで、端末デバイスは、現在のモードをネットワークデバイスに示す。
【００３４】
任意選択で、第1の態様の実現方式では、現在のモードは周波数ホッピングモードであり、予め設定されたDMRSパターンにおけるDMRSは、周波数ホッピングなしで1つのリソーススケジューリングユニット内のN個の連続シンボルを占有し、Nは1以上の整数であり、現在のモードに対応するDMRSパターンにおけるDMRSは、第1の周波数帯域内のN1個の連続シンボル及び第2の周波数帯域内のN2個の連続シンボルを占有し、N1は1以上の整数であり、N2は1以上の整数である。
【００３５】
この出願のこの実施形態では、周波数ホッピングモードにおいて、2つの周波数帯域のチャネル状態は異なる。したがって、この出願のこの実施形態では、DMRSは各周波数帯域で送信され、それにより、受信端デバイスは、周波数帯域内のDMRSに基づいて対応するデータを復調でき、それにより、データ復調精度を改善し、復調性能を改善する。
【００３６】
任意選択で、第1の態様の実現方式では、N1=N2であり、第1の周波数帯域内のN1個のシンボルの位置は、第2の周波数帯域内のN2個のシンボルの位置と対称的である。
【００３７】
したがって、この出願のこの実施形態では、2つの周波数帯域内のDMRSは対称的に配置され、それにより、受信端デバイスは、同じ方式で2つの周波数帯域でデータ復調を実行でき、それにより、復調の複雑さを低減し、ネットワーク性能を改善する。
【００３８】
任意選択で、第1の態様の実現方式では、N2個のシンボルは、第2の周波数帯域内の第1シンボルを含む。
【００３９】
受信端デバイスは、受信端デバイスがDMRSを取得した後にのみデータを復調してもよい。したがって、この出願のこの実施形態では、DMRSは、第2の周波数帯域内の第1シンボルを占有するように設定され、それにより、受信端デバイスは、最初にDMRSを取得でき、次いで、データを迅速に復調できる。
【００４０】
N2個のシンボルの位置は、さらに、第2の周波数帯域内のいずれかの位置でもよく、この出願のこの実施形態はそのことに限定されないことが理解されるべきである。
【００４１】
例えば、N2個のシンボルの位置は、第2の周波数帯域の前半部分にあるか、或いはN2個のシンボルのうち第1シンボルは、第2の周波数帯域の前半部分に位置する。例えば、N2=2であり、2つのシンボルは、第2の周波数帯域内の第2シンボル及び第3シンボル又は第3シンボル及び第4シンボルでもよく、この出願のこの実施形態はそのことに限定されない。
【００４２】
任意選択で、第1の態様の実現方式では、N1個のシンボルは、第1の周波数帯域内の第1の領域内の第1シンボルを含み、第1の領域は、データ及びDMRSにより占有されるシンボルを含む。
【００４３】
この出願において、第1の領域は、リソーススケジューリングユニット内にあり且つデータ及びDMRSを運ぶために使用されるシンボルを含むことが理解されるべきである。
【００４４】
N1個のシンボルは、第1の領域内の第1シンボルを含み、それにより、迅速な復調を実現する。
【００４５】
任意選択で、第1の態様の実現方式では、N1=N2=1又はN1=N2=2である。
【００４６】
具体的には、各シーケンスは、1つ又は2つのシンボルを占有するが、この出願のこの実施形態はそのことに限定されない。代替として、或るシーケンスが1つのシンボルを占有し、他のシーケンスが2つのシンボルを占有する。
【００４７】
任意選択で、第1の態様の実現方式では、現在のモードは周波数ホッピングモードであり、予め設定されたDMRSパターンにおけるDMRSは、周波数ホッピングなしで1つのリソーススケジューリングユニット内のM個の連続シンボル及びK個の連続シンボルを占有し、M個のシンボルはK個のシンボルに隣接せず、現在のモードに対応するDMRSパターンにおけるDMRSは、第1の周波数帯域内のシンボルのうちM1個の連続シンボル及びK1個の連続シンボルと、第2の周波数帯域内のM2個の連続シンボル及びK2個の連続シンボルとを占有し、M1個のシンボルはK1個のシンボルに隣接せず、M2個のシンボルはK2個のシンボルに隣接せず、M、K、M1、K1、M2及びK2は1以上の整数である。
【００４８】
M個のシンボルはK個のシンボルの前に位置し、M1個のシンボルはK1個のシンボルの前に位置し、M2個のシンボルはK2個のシンボルの前に位置することが理解されるべきである。
【００４９】
任意選択で、第1の態様の実現方式では、K1個のシンボルは、第1の周波数帯域内の最後のシンボル、最後から2番目のシンボル又は最後から3番目のシンボルを含む。
【００５０】
K1個のシンボルは、受信端がデータをより良く復調することを可能にするために、第1の周波数帯域の後半部分に配置され、それにより、システム性能を改善する。
【００５１】
任意選択で、第1の態様の実現方式では、M1個のシンボルは、第1の周波数帯域内の第1の領域内の第1シンボルを含み、第1の領域は、データ及びDMRSにより占有されるシンボルを含む。
【００５２】
M1個のシンボルは、第1の周波数帯域内の第1の領域内の第1シンボルを含み、それにより、迅速な復調を実現する。
【００５３】
任意選択で、第1の態様の実現方式では、M2個のシンボルは、第2の周波数帯域の第1シンボルを含む。
【００５４】
任意選択で、第1の態様の実現方式では、M1=Mであり、M1個のシンボルの位置は、M個のシンボルの位置と同じであり、K1個のシンボルは、第1の周波数帯域内の最後のシンボルを含み、M2個のシンボルは、第1の周波数帯域内の第1シンボルを含み、K2=Kであり、K2個のシンボルの位置は、K個のシンボルの位置と同じであるか、或いはK2個のシンボルの位置は、予め設定された位置である。
【００５５】
任意選択で、第1の態様の実現方式では、M1=Mであり、M1個のシンボルの位置は、M個のシンボルの位置と同じであり、
K1個のシンボルは、全体のリソーススケジューリングユニット内の第7シンボルを含み、全体のリソーススケジューリングユニットは、第1の周波数帯域で占有されるシンボルと第2の周波数帯域で占有されるシンボルとの和を含み、全体のリソーススケジューリングユニットは、14個のシンボルを含み、
M2個のシンボルは、全体のリソーススケジューリングユニット内の第8シンボルを含み、
K2=Kであり、K2個のシンボルの位置は、K個のシンボルの位置と同じであるか、或いはK2個のシンボルの位置は、予め設定された位置である。
【００５６】
この出願のこの実施形態では、周波数ホッピングモードにおいて、チャネル状態が比較的大きく変動するときに正確なデータ復調を確保するために、2つのグループのDMRSは、2つの周波数帯域のそれぞれにおいて送信される。
【００５７】
任意選択で、第1の態様の実現方式では、M1=M2であり、K1=K2であり、第1の周波数帯域内のM1個のシンボル及びK1個のシンボルの位置は、第2の周波数帯域内のM2個のシンボル及びK2個のシンボルの位置と対称的である。
【００５８】
この出願のこの実施形態では、2つの周波数帯域内のDMRSは対称的に配置され、それにより、受信端デバイスは、同じ方式で2つの周波数帯域でデータ復調を実行でき、それにより、復調の複雑さを低減し、ネットワーク性能を改善する。
【００５９】
任意選択で、第1の態様の実現方式では、M2個のシンボルは、第2の周波数帯域内の第1シンボルを含む。
【００６０】
受信端は、受信端がDMRSを取得した後にのみデータを復調してもよい。したがって、この出願のこの実施形態では、DMRSは、第2の周波数帯域内の第1シンボルを占有し、それにより、受信端デバイスは、最初にDMRSを取得し、次いで、迅速な復調を実行でき、それにより、迅速な復調の要件を満たす。
【００６１】
M2個のシンボルの位置は、さらに、第2の周波数帯域内のいずれかの位置でもよく、この出願のこの実施形態はそのことに限定されないことが理解されるべきである。
【００６２】
例えば、M2個のシンボルの位置は、第2の周波数帯域の前半部分にあるか、或いはM2個のシンボルのうち第1シンボルは、第2の周波数帯域の前半部分に位置する。例えば、M2=2であり、2つのシンボルは、第2の周波数帯域内の第2シンボル及び第3シンボル又は第3シンボル及び第4シンボルでもよく、この出願のこの実施形態はそのことに限定されない。
【００６３】
任意選択で、第1の態様の実現方式では、予め設定されたDMRSパターンにおけるDMRSは、周波数ホッピングなしで1つのリソーススケジューリングユニット内のP個の連続シンボルを更に占有し、P個のシンボルはM個のシンボルにもK個のシンボルにも隣接せず、
現在のモードに対応するDMRSパターンにおけるDMRSは、第1の周波数帯域内のシンボルのうちP1個の連続シンボルと、第2の周波数帯域内のP2個の連続シンボルとを更に占有し、P1個のシンボルはM1個のシンボルにもK1個のシンボルにも隣接せず、P2個のシンボルはM2個のシンボルにもK2個のシンボルにも隣接せず、P、P1及びP2は1以上の整数である。
【００６４】
この出願のこの実施形態では、周波数ホッピングモードにおいて、チャネル状態が比較的大きく変動するときに正確なデータ復調を確保するために、3つのグループのDMRSは、2つの周波数帯域のそれぞれにおいて送信される。
【００６５】
この出願のこの実施形態での予め設定されたDMRSパターンにおけるDMRSは、L個のグループのシンボルを占有してもよく、Lは2、3、4又はより大きい値でもよいことが理解されるべきである。同様に、周波数ホッピングモードにおいて、現在のモードに対応するDMRSパターンにおけるDMRSは、各周波数帯域でL個のグループのシンボルを占有する。
【００６６】
任意選択で、第1の態様の実現方式では、現在のモードは集約モードであり、複数のリソーススケジューリングユニットの数量はYであり、Yは2以上の整数であり、
予め設定されたDMRSパターンにおけるDMRSは、Y個のリソーススケジューリングユニットのそれぞれにおいて少なくとも1つの連続シンボルを占有し、
現在のモードに対応するDMRSパターンにおけるDMRSは、Y個のリソーススケジューリングユニットの最初のY1個のリソーススケジューリングユニットのそれぞれにおいて少なくとも1つの連続シンボルを占有し、Y1は1以上且つY未満の整数である。
【００６７】
この出願のこの実施形態では、集約モードにおいて、DMRSは、集約送信におけるY個のリソーススケジューリングユニットの最初のY1個のリソーススケジューリングユニット内のシンボルのみを占有し、それにより、DMRSにより占有されるリソースを低減し、リソースの浪費を回避し、ネットワーク性能を改善する。
【００６８】
任意選択で、第1の態様の実現方式では、現在のモードは集約モードであり、複数のリソーススケジューリングユニットの数量はYであり、予め設定されたDMRSパターンにおけるDMRSは、Y個のリソーススケジューリングユニットのそれぞれにおいてL個のグループのシンボルを占有し、Lは2以上の整数であり、L個のグループのシンボルは互いに隣接せず、L個のグループのシンボルのそれぞれは、少なくとも1つの連続シンボルを含み、現在のモードに対応するDMRSパターンにおけるDMRSは、Y個のリソーススケジューリングユニットのそれぞれにおいてL1個のグループのシンボルを占有し、L1はL未満の整数であり、L1個のグループのシンボルは互いに隣接せず、L1個のグループのシンボルのそれぞれは、少なくとも1つの連続シンボルを含む。
【００６９】
この出願のこの実施形態では、集約モードにおいて、DMRSは、集約送信におけるY個のリソーススケジューリングユニットのそれぞれにおいてL1個のグループのシンボルのみを占有し、それにより、DMRSにより占有されるリソースを低減し、リソースの浪費を回避し、ネットワーク性能を改善する。
【００７０】
任意選択で、第1の態様の実現方式では、現在のモードは集約モードであり、複数のリソーススケジューリングユニットの数量はYであり、予め設定されたDMRSパターンにおけるDMRSは、Y個のリソーススケジューリングユニットのそれぞれにおいてL個のグループのシンボルを占有し、現在のモードに対応するDMRSパターンにおけるDMRSは、Y個のリソーススケジューリングユニットのそれぞれにおいてL個のグループのシンボルを占有し、Lは2以上の整数であり、L個のグループのシンボルは互いに隣接せず、L個のグループのシンボルのそれぞれは、少なくとも1つの連続シンボルを含み、予め設定されたDMRSパターンにおけるDMRSにより占有されるY*L個のグループのシンボルのうちいずれか2つの隣接するグループのシンボルの間の間隔間の最大の差は、R個のシンボルであり、現在のモードに対応するDMRSパターンにおけるDMRSにより占有されるY*L個のグループのシンボルのうちいずれかの2つの隣接するグループのシンボルの間の間隔間の最大の差は、S個のシンボルであり、S<Rである。
【００７１】
したがって、この出願のこの実施形態では、集約モードにおいて、集約送信におけるY個のリソーススケジューリングユニット内にあり且つDMRSにより占有されるシンボルは、比較的均一に分布し、それにより、復調性能を改善し、リソースの浪費を回避し、ネットワーク性能を改善する。
【００７２】
DMRSにより占有される1つのグループのシンボル内のシンボルの数量はここでは限定されず、1つのグループのシンボルは、少なくとも1つのシンボルを含んでもよく、例えば、1つのシンボル、2つのシンボル又は3つのシンボルを含んでもよいことが理解されるべきである。この出願のこの実施形態はそのことに限定されない。
【００７３】
第2の態様によれば、DMRS送信方法が提供される。当該方法は、通信デバイスにより、追加DMRSの指示情報を使用することにより、周波数ホッピングモードに対応するDMRSパターンを決定するステップであり、追加DMRSは、前方部分のDMRSの後に位置するDMRSであり、指示情報は、以下のもの、すなわち、追加DMRSが存在するか否か、追加DMRSの数量及び追加DMRSの位置のうち少なくとも1つを示すために使用され、周波数ホッピングモードは、1つのリソーススケジューリングユニット内のいくつかのシンボルが第1の周波数帯域に位置し、いくつかの他のシンボルが第2の周波数帯域に位置することを示す、ステップと、通信デバイスにより、DMRSパターンを使用することにより、DMRSマッピング又はデマッピングを実行するステップとを含む。
【００７４】
NRにおいて、前半部分のみがDMRSを有し、後半部分が周波数ホッピング後にパイロットを有さない場合、データは通常では復調できないことに留意すべきである。周波数ホッピングが考慮され、DMRSが後半部分に対して独立して設計される場合、DMRS設計の複雑さが増加し、システム実現の複雑さが増加する。
【００７５】
この出願のこの実施形態では、周波数ホッピングモードに対応するDMRSパターンは、システムに存在するパラメータ、すなわち、追加DMRSの指示情報に基づいて柔軟に決定でき、それにより、実現の複雑さを低減し、システム性能を改善する。
【００７６】
任意選択で、実現方式では、追加DMRSが存在しないことを示すために指示情報が使用されるとき、DMRSパターンにおけるDMRSは、第1の周波数帯域内の1つのシーケンスのシンボル及び第2の周波数帯域内の1つのシーケンスのシンボルを占有し、1つのシーケンスのシンボルは、少なくとも1つの連続シンボルを含む。
【００７７】
任意選択で、実現方式では、第1の周波数帯域内の1つのシーケンスのシンボルは、第1の周波数帯域内の第1の領域内の第1シンボルを含み、第1の領域は、データ及びDMRSにより占有されるシンボルを含む。
【００７８】
任意選択で、実現方式では、第2の周波数帯域内の1つのシーケンスのシンボルは、第2の周波数帯域内の第1シンボルを含む。
【００７９】
任意選択で、実現方式では、追加DMRSが存在することを示すために指示情報が使用されるとき、DMRSパターンにおけるDMRSにより占有される第1の周波数帯域内のシンボルのシーケンスの数量及び位置と、DMRSパターンにおけるDMRSにより占有される第2の周波数帯域内のシンボルのシーケンスの数量及び位置とは、指示情報により示されるシーケンスの数量及び位置と、前方部分のDMRSの指示情報により示されるシーケンスの数量及び位置と同じである。
【００８０】
例えば、DMRSにより占有される第1の周波数帯域内のシンボルのシーケンスの数量及び位置は、前方部分のDMRSの指示情報により示されるDMRSシーケンスの数量及び位置と同じであり、DMRSにより占有される第1の周波数帯域内のシンボルのシーケンスの数量及び位置は、追加DMRSの指示情報により示されるDMRSシーケンスの数量及び位置と同じである。
【００８１】
任意選択で、実現方式では、追加DMRSが存在することを示すために指示情報が使用されるとき、
DMRSパターンにおけるDMRSは、第1の周波数帯域内の2つの不連続なシーケンスのシンボルと、第2の周波数帯域内の2つの不連続なシーケンスのシンボルとを占有するか、DMRSパターンにおけるDMRSは、第1の周波数帯域内の2つの不連続なシーケンスのシンボルと、第2の周波数帯域内の1つのシーケンスのシンボルとを占有するか、或いはDMRSパターンにおけるDMRSは、第1の周波数帯域内の1つのシーケンスのシンボルと、第2の周波数帯域内の2つの不連続なシーケンスのシンボルとを占有し、2つのシーケンスのシンボルのそれぞれは、少なくとも1つの連続シンボルを含み、1つのシーケンスのシンボルは、少なくとも1つの連続シンボルを含む。
【００８２】
任意選択で、実現方式では、DMRSパターンにおけるDMRSが第1の周波数帯域内の2つの不連続なシーケンスのシンボルを占有するとき、第1の周波数帯域内の2つのシーケンスのシンボルのうち後者のシーケンスのシンボルは、第1の周波数帯域内の最後のシンボルを含むか、或いはDMRSパターンにおけるDMRSが第2の周波数帯域内の2つの不連続なシーケンスのシンボルを占有するとき、第2の周波数帯域内の2つのシーケンスのシンボルのうち前者のシーケンスのシンボルは、第2の周波数帯域内の第1シンボルを含む。
【００８３】
第3の態様によれば、通信デバイスが提供される。通信デバイスは、第1の態様、第2の態様、又は第1の態様及び第2の態様のいずれか可能な実現方式による方法を実行するように構成される。具体的には、通信デバイスは、上記の方法を実行するように構成されたユニットを含む。
【００８４】
第4の態様によれば、通信デバイスが提供される。通信デバイスは、プロセッサ及びメモリを含み、メモリは、コンピュータプログラムを記憶するように構成され、プロセッサは、メモリに記憶されたコンピュータプログラムを実行し、第1の態様、第2の態様、又は第1の態様及び第2の態様のいずれか可能な実現方式による方法を実行するように構成される。
【００８５】
第5の態様によれば、コンピュータ読み取り可能媒体が提供される。コンピュータ読み取り可能媒体は、コンピュータプログラムを記憶し、コンピュータプログラムがコンピュータにより実行されたとき、第1の態様、第2の態様、又は第1の態様及び第2の態様のいずれか可能な実現方式による方法が実現される。
【００８６】
第6の態様によれば、コンピュータプログラムプロダクトが提供される。コンピュータプログラムプロダクトがコンピュータにより実行されたとき、第1の態様、第2の態様、又は第1の態様及び第2の態様のいずれか可能な実現方式による方法が実現される。
【００８７】
第7の態様によれば、処理装置が提供される。処理装置は、プロセッサ及びインターフェースを含み、
プロセッサは、第1の態様、第2の態様、又は第1の態様及び第2の態様のいずれか可能な実現方式による方法を実行するように構成される。
【００８８】
第7の態様による処理装置はチップでもよく、プロセッサは、ハードウェアを使用することにより実現されてもよく、或いはソフトウェアを使用することにより実現されてもよいことが理解されるべきである。プロセッサがハードウェアを使用することにより実現されるとき、プロセッサは、論理回路、集積回路等でもよく、或いはプロセッサがソフトウェアを使用することにより実現されるとき、プロセッサは汎用プロセッサでもよく、メモリに記憶されたソフトウェアコードを読み取ることにより実現されてもよく、メモリは、プロセッサに統合されてもよく、或いはプロセッサの外に位置して独立して存在してもよい。
【図面の簡単な説明】
【００８９】
【図１】この出願の実施形態が適用可能な通信システムの概略ブロック図である。
【図２】この出願の実施形態によるDMRS送信方法の概略フローチャートである。
【図３】この出願の他の実施形態によるDMRS送信方法の概略フローチャートである。
【図４】この出願の他の実施形態によるDMRS送信方法の概略フローチャートである。
【図５】この出願の実施形態による予め設定されたDMRSパターンの概略図である。
【図６】この出願の他の実施形態による予め設定されたDMRSパターンの概略図である。
【図７】この出願の実施形態によるDMRSパターンの概略図である。
【図８】従来技術におけるDMRSパターンの概略図である。
【図９】この出願の他の実施形態によるDMRSパターンの概略図である。
【図１０】この出願の他の実施形態によるDMRSパターンの概略図である。
【図１１】従来技術における他のDMRSパターンの概略図である。
【図１２】この出願の他の実施形態によるDMRSパターンの概略図である。
【図１３】この出願の他の実施形態によるDMRSパターンの概略図である。
【図１４】この出願の他の実施形態によるDMRSパターンの概略図である。
【図１５】従来技術における他のDMRSパターンの概略図である。
【図１６】この出願の他の実施形態によるDMRSパターンの概略図である。
【図１７】従来技術における他のDMRSパターンの概略図である。
【図１８】この出願の他の実施形態によるDMRSパターンの概略図である。
【図１９】この出願の実施形態による通信デバイスの概略ブロック図である。
【図２０】この出願の他の実施形態によるDMRSパターンの概略図である。
【図２１】この出願の他の実施形態によるDMRSパターンの概略図である。
【図２２】この出願の他の実施形態によるDMRSパターンの概略図である。
【図２３】この出願の他の実施形態によるDMRSパターンの概略図である。
【図２４】この出願の他の実施形態によるDMRSパターンの概略図である。
【図２５】この出願の他の実施形態によるDMRSパターンの概略図である。
【図２６】この出願の他の実施形態によるDMRSパターンの概略図である。
【図２７】この出願の他の実施形態によるDMRSパターンの概略図である。
【図２８】この出願の他の実施形態によるDMRSパターンの概略図である。
【図２９】この出願の他の実施形態によるDMRSパターンの概略図である。
【図３０】この出願の他の実施形態によるDMRSパターンの概略図である。
【図３１】この出願の他の実施形態によるDMRSパターンの概略図である。
【図３２】この出願の他の実施形態によるDMRSパターンの概略図である。
【図３３】この出願の他の実施形態によるDMRSパターンの概略図である。
【図３４】この出願の他の実施形態によるDMRSパターンの概略図である。
【図３５】この出願の他の実施形態によるDMRSパターンの概略図である。
【図３６】この出願の実施形態によるDMRS多重の概略図である。
【図３７】この出願の他の実施形態によるDMRS多重の概略図である。
【発明を実施するための形態】
【００９０】
以下に、添付図面を参照してこの出願の技術的解決策について説明する。
【００９１】
この出願の実施形態は、様々な通信システムに適用されてもよい。したがって、以下の説明は、特定の通信システムに限定されない。例えば、この出願の実施形態は、グローバル・システム・フォー・モバイル・コミュニケーションズ(global  system  for  mobile  communications,  GSM)システム、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)、ロングタームエボリューション(long  term  evolution,  LTE)システム、LTE周波数分割複信(frequency  division  duplex,  FDD)システム、LTE時分割複信(time  division  duplex,  TDD)、ユニバーサル移動通信システム(universal  mobile  telecommunications  system,  UMTS)、無線ローカルエリアネットワーク(wireless  local  area  network,  WLAN)、ワイヤレス・フィデリティ(wireless  fidelity,  Wi-Fi)及び次世代通信システム、すなわち、新無線(new  radio,  NR)システムのような第5世代(5th  generation,  5G)通信システムに適用されてもよい。
【００９２】
この出願の実施形態では、ネットワークデバイスは、グローバル・システム・フォー・モバイル・コミュニケーションズ(global  system  for  mobile  communications,  GSM)又は符号分割多元接続(code  division  multiple  access,  CDMA)における基地送受信局(base  transceiver  station,  BTS)でもよく、広帯域符号分割多元接続(wideband  code  division  multiple  access,  WCDMA)におけるノードB(nodeB,  NB)でもよく、或いはロングタームエボリューション(long  term  evolution,  LTE)における進化型ノードB(evolved  node  B,  eNB/eNodeB)、中継局、アクセスポイント、又は将来の5Gネットワークにおけるネットワーク側デバイス、例えば、NRシステムにおける送信ポイント(TRP又はTP)、NRシステムにおけるｇＮＢ(gNB)、又は5Gシステムにおける基地局の遠隔無線ユニット又は1つのアンテナパネル若しくは1つのグループのアンテナパネル(複数のアンテナパネルを含む)のようなNRシステムにおける無線周波数ユニットでもよい。異なるネットワークデバイスは、同じセルに位置してもよく、或いは異なるセルに位置してもよい。これはここでは具体的に限定されない。
【００９３】
この出願の実施形態における端末デバイスはまた、ユーザ機器(user  equipment,  UE)、アクセス端末、加入者ユニット、加入者局、移動局、モバイルコンソール、遠隔局、遠隔端末、モバイルデバイス、ユーザ端末、端末、無線通信デバイス、ユーザエージェント又はユーザ装置と呼ばれてもよい。アクセス端末は、携帯電話、コードレス電話、セッションイニシエーションプロトコル(session  initiation  protocol,  SIP)電話、無線ローカルループ(wireless  local  loop,  WLL)局、パーソナルデジタルアシスタント(personal  digital  assistant,  PDA)、無線通信機能を有するハンドヘルドデバイス、計算デバイス、無線モデムに接続された他の処理デバイス、車載デバイス、ウェアラブルデバイス、無人航空機デバイス、又は将来の5Gネットワークにおける端末デバイスでもよい。
【００９４】
図１は、本発明のデータ送信方法を使用する通信システムの概略図である。通信システムは、上記のいずれかの通信システムでもよい。図１に示すように、通信システム100は、ネットワーク側デバイス102を含み、ネットワーク側デバイス102は、複数のアンテナグループを含んでもよい。各アンテナグループは、複数のアンテナを含んでもよい。例えば、或るアンテナグループは、アンテナ104及び106を含んでもよく、他のアンテナグループは、アンテナ108及び110を含んでもよく、更なるグループは、アンテナ112及び114を含んでもよい。各アンテナグループについて、2つのアンテナが図１に示されている。しかし、より多くのアンテナ又はより少ないアンテナが各グループに使用されてもよい。ネットワーク側デバイス102は、送信機チェーン及び受信機チェーンを更に含んでもよく、当業者は、送信機チェーン及び受信機チェーンの双方が信号送信及び受信に関する複数のコンポーネント(例えば、プロセッサ、変調器、マルチプレクサ、復調器、デマルチプレクサ及びアンテナ)を含んでもよいことを理解し得る。
【００９５】
ネットワーク側デバイス102は、複数の端末デバイス(例えば、端末デバイス116及び端末デバイス122)と通信してもよい。しかし、ネットワーク側デバイス102は、端末デバイス116又は122と同様のいずれかの数量の端末デバイスと通信してもよいことが理解できる。端末デバイス116及び122は、例えば、携帯電話、スマートフォン、ポータブルコンピュータ、ハンドヘルド通信デバイス、ハンドヘルド計算デバイス、衛星無線装置、全地球測位システム、PDA、及び/又は無線通信システム100における通信に使用されるいずれか他の適切なデバイスでもよい。
【００９６】
図１に示すように、端末デバイス116は、アンテナ112及び114と通信し、アンテナ112及び114は、フォワードリンク118を通じて情報を端末デバイス116に送信し、リバースリンク120を通じて端末デバイス116から情報を受信する。さらに、端末デバイス122は、アンテナ104及び106と通信し、アンテナ104及び106は、フォワードリンク124を通じて情報を端末デバイス122に送信し、リバースリンク126を通じて端末デバイス122から情報を受信する。
【００９７】
例えば、周波数分割複信(frequency  division  duplex,  FDD)システムでは、フォワードリンク118は、リバースリンク120により使用される周波数帯域とは異なる周波数帯域を使用してもよく、フォワードリンク124は、リバースリンク126により使用される周波数帯域とは異なる周波数帯域を使用してもよい。
【００９８】
他の例では、時分割複信(time  division  duplex,  TDD)システム及び全二重(full  duplex)システムでは、フォワードリンク118及びリバースリンク120は、同じ周波数帯域を使用してもよく、フォワードリンク124及びリバースリンク126は、同じ周波数帯域を使用してもよい。
【００９９】
通信用に設計された各グループのアンテナ及び/又は各エリアは、ネットワーク側デバイス102のセクタと呼ばれる。例えば、アンテナグループは、ネットワーク側デバイス102のカバレッジエリアのセクタ内で端末デバイスと通信するように設計されてもよい。ネットワーク側デバイス102がそれぞれフォワードリンク118及び124を通じて端末デバイス116及び122と通信するプロセスにおいて、ネットワーク側デバイス102の送信アンテナは、ビームフォーミングを通じてフォワードリンク118及び124の信号対雑音比を改善してもよい。さらに、ネットワーク側デバイスが単一のアンテナを使用することによりネットワーク側デバイスの全ての端末デバイスに信号を送信する方式と比べて、ネットワーク側デバイス102がビームフォーミングを通じて関係するカバレッジエリアにランダムに分散する端末デバイス116及び122に信号を送信するとき、隣接するセル内のモバイルデバイスは、より小さい干渉を受ける。
【０１００】
所与の時間において、ネットワーク側デバイス102、端末デバイス116又は端末デバイス122は、無線通信送信装置及び/又は無線通信受信装置でもよい。データを送信するとき、無線通信送信装置は、送信のためにデータを符号化してもよい。具体的には、無線通信送信装置は、チャネルを通じて無線通信受信装置に送信される必要のある特定の数量のデータビットを取得してもよい(例えば、生成するか、他の通信装置から受信するか、或いはメモリに記憶する)。データビットは、データのトランスポートブロック(又は複数のトランスポートブロック)に含まれてもよく、トランスポートブロックは、複数のコードブロックを生成するようにセグメント化されてもよい。
【０１０１】
本発明の実施形態をより理解できるようにするために、本発明の実現方式におけるDMRS送信プロセスについて最初に以下に説明し、これらの説明は、本発明により必要とされる保護範囲に対する限定として考慮されるべきではない。
【０１０２】
具体的には、送信端デバイス(例えば、ダウンリンク送信中のネットワークデバイス又はアップリンク送信中の端末デバイスである)は、DMRSパターンに基づいて、予め符号化されたDMRS及びデータを送信する。このように、送信端デバイスにより送信された情報を受信した後に、受信端デバイスは、DMRSパターンに基づいてDMRSを取得し、データを取得するために、DMRSに基づいてデータを復調してもよい。
【０１０３】
実際の適用の中で、送信端デバイス及び受信端デバイスの双方は、DMRSにより占有されるシンボルの位置を習得する必要がある。具体的には、受信端デバイスがデータを正確に復調することを可能にするために、送信端デバイス及び受信端デバイスは、同じDMRSパターンを使用することにより互いに通信する必要がある。具体的には、送信端デバイスは、DMRSパターンに基づいてDMRSをマッピングし、受信端デバイスは、DMRSパターンに基づいてDMRSをデマッピングする。
【０１０４】
この出願の実施形態は、主に、DMRSパターンに関し、これに基づいて通信デバイス(ネットワークデバイス又は端末デバイス)がDMRSマッピング又はデマッピングを実行する。この出願の実施形態によるDMRS送信方法について、添付図面を参照して以下に詳細に説明する。
【０１０５】
図２は、この出願の実施形態によるDMRS送信方法の概略フローチャートである。図２に示す方法200は、上記のいずれかの通信システムに適用されてもよい。図２に示す方法は、通信デバイスにより実行されてもよく、通信デバイスは、ネットワークデバイス又は端末デバイスでもよく、ネットワークデバイスは、上記のいずれかのネットワークデバイスでもよく、端末デバイスは、上記のいずれかの端末デバイスでもよく、この出願のこの実施形態はそのことに限定されない。具体的には、図２に示す方法200は、以下のステップを含む。
【０１０６】
210.通信デバイスは、リソーススケジューリングユニットの現在のモードを決定し、現在のモードは、周波数ホッピングモード又は集約モードであり、周波数ホッピングモードは、1つのリソーススケジューリングユニット内のいくつかのシンボルが第1の周波数帯域に位置し、いくつかの他のシンボルが第2の周波数帯域に位置することを示し、集約モードは、複数のリソーススケジューリングユニットの集約送信を示す。
【０１０７】
この出願のこの実施形態では、シンボルは、時間単位を示し、ここでのシンボルは、代替としてOFDMシンボルと呼ばれてもよく、この出願のこの実施形態はそのことに限定されないことが理解されるべきである。
【０１０８】
この出願のこの実施形態での1つのリソースユニットは、n個のシンボルを含んでもよく、nは2以上の整数であることが更に理解されるべきである。例えば、nは7、14又は2〜13のいずれかの値であり、この出願のこの実施形態はそのことに限定されない。
【０１０９】
この出願のこの実施形態では、DMRSパターンは、代替としてDMRS分布情報又はDMRS属性と呼ばれてもよく、DMRSパターンは、DMRSにより占有されるシンボルの位置及び数量を示すことができ、この出願のこの実施形態はそのことに限定されないことが理解されるべきである。
【０１１０】
220.通信デバイスは、現在のモードに対応するDMRSパターンを使用することにより、DMRSマッピング又はデマッピングを実行し、現在のモードに対応するDMRSパターンにおけるDMRSにより占有されるシンボルの位置は、予め設定されたDMRSパターンにおけるDMRSにより占有されるシンボルの位置とは異なる。
【０１１１】
この出願のこの実施形態では、DMRSパターンは、DMRSにより占有されるシンボルの位置を示すことができ、DMRSパターンは、代替としてDMRS位置、DMRS属性又はデータ分布情報と呼ばれてもよく、この出願のこの実施形態はそのことに限定されないことが理解されるべきである。
【０１１２】
データを送信するとき、通信デバイスは、現在のモードに対応するDMRSパターンに基づいてDMRSマッピングを実行し、データを受信するとき、通信デバイスは、現在のモードに対応するDMRSパターンに基づいてDMRSデマッピングを実行することが理解されるべきである。
【０１１３】
例えば、通信デバイスはネットワークデバイスであり、アップリンク送信を実行するとき、通信デバイスは、現在のモードに対応するDMRSパターンを使用することにより、DMRSデマッピングを実行し、ダウンリンク送信を実行するとき、通信デバイスは、現在のモードに対応するDMRSパターンを使用することにより、DMRSマッピングを実行する。他の例では、通信デバイスは端末デバイスであり、アップリンク送信を実行するとき、通信デバイスは、現在のモードに対応するDMRSパターンを使用することにより、DMRSマッピングを実行し、ダウンリンク送信を実行するとき、通信デバイスは、現在のモードに対応するDMRSパターンを使用することにより、DMRSデマッピングを実行する。
【０１１４】
この出願のこの実施形態では、予め設定されたDMRSパターンは、代替として、所定のパターン、デフォルトパターン又は第1のDMRSパターンと呼ばれてもよく、現在のモードに対応するDMRSパターンは、代替として、第2のDMRSパターンと呼ばれてもよいことが理解されるべきである。この出願のこの実施形態では、予め設定されたDMRSパターンは、第1のモード(すなわち、非周波数ホッピング及び非集約モード)において使用されるDMRSパターンを示す。
【０１１５】
従来技術では、通信は、いずれかの送信モードにおいて予め設定されたDMRSパターンを使用することにより実行される。具体的には、DMRSにより占有されるシンボルの位置は、予め設定されたDMRSパターンにおけるDMRSにより占有されるシンボルの位置と同じである。しかし、いくつかの適用シナリオでは、リソーススケジューリングユニットのモードが変更されたとき、DMRSが依然としてDMRSを常に送信する既存の方式で送信される場合、予め設定されたDMRSパターンにおけるDMRSの分布方式は、異なるモードの要件を満たすのに困難であるので、DMRSリソースの浪費又は受信端の劣った復調性能のような悪影響が引き起こされる。その結果、ネットワーク性能が影響を受ける。
【０１１６】
しかし、この出願のこの実施形態での異なるモードにおけるDMRSパターンは、予め設定されたパターンとは異なり、DMRSにより占有されるシンボルの位置は、この出願のこの実施形態では、異なるモードに基づいて柔軟に選択できる。したがって、この出願のこの実施形態では、異なるモードの要件が満たされることができ、それにより、ネットワーク性能を改善する。
【０１１７】
この出願の実施形態によるDMRS送信方法の具体的な例について、図３及び図４をそれぞれ参照して以下に説明する。
【０１１８】
図３は、この出願の実施形態によるDMRS送信方法を示し、図３は、この出願のこの実施形態によるダウンリンク送信中のDMRS送信方法を記載する。具体的には、図３に示すように、当該方法300は、以下のステップを含む。
【０１１９】
310.ネットワークデバイスは、リソーススケジューリングユニットの現在のモードを決定する。
【０１２０】
具体的には、ネットワークデバイスは、複数の方式で現在のモードを決定してもよい。
【０１２１】
任意選択で、実現方式では、ネットワークデバイスは、端末デバイスにより報告されたチャネル状態情報及びセルのネットワーク状態に基づいて現在のモードを決定してもよい。
【０１２２】
任意選択で、ネットワークデバイスは、端末デバイスにより使用される波形、例えば、シングルキャリア波形又はマルチキャリア波形に基づいて現在のモードを決定してもよい。例えば、端末デバイスがシングルキャリア波形を使用するとき、現在のモードは周波数ホッピングモードでもよく、端末デバイスがマルチキャリア波形を使用するとき、現在のモードは集約モードでもよい。この出願のこの実施形態はそのことに限定されない。例えば、端末デバイスがシングルキャリア波形を使用するとき、現在のモードは、代替として、集約モードでもよい。
【０１２３】
任意選択で、他の実現方式では、ネットワークデバイスは、サービスタイプに基づいて現在のモードを決定してもよい。サービスタイプは、迅速な復調を要求するサービス、高送信性能を要求するサービス等を含んでもよい。
【０１２４】
任意選択で、他の実現方式では、ネットワークデバイスは、端末デバイスにより送信された指示情報に基づいて現在のモードを決定してもよい。具体的には、端末デバイスは、ネットワーク状態又はサービス状態のような現在の状態に基づいて現在のモードを決定してもよく、次いで、端末デバイスは、現在のモードをネットワークデバイスに示す。この場合、端末デバイスは、指示情報をネットワークデバイスに送信し、それにより、ネットワークデバイスは、端末デバイスにより送信された指示情報に基づいて現在のモードを決定する。
【０１２５】
320.ネットワークデバイスは、現在のモードに対応するDMRSパターンに基づいてDMRSマッピングを実行する。
【０１２６】
具体的には、ネットワークデバイスは、DMRSパターンに基づいてDMRS及びデータをマッピングし、マッピングされたDMRS及びデータを送信する。
【０１２７】
実現方式では、現在のモードに対応するDMRSパターンは、システムにより予め設定されてもよい。具体的には、システムは、リソーススケジューリングユニットのモードとDMRSパターンとの間の対応関係を予め設定してもよく、現在のモードを決定した後に、ネットワークデバイス及び端末デバイスは、予め設定された対応関係に基づいて、現在のモードに対応するDMRSパターンを決定してもよい。
【０１２８】
他の実現方式では、ネットワークデバイスは、現在のモードに基づいて対応するDMRSパターンを決定し、第2の指示情報を使用することにより、現在のモードに対応するDMRSパターンを端末デバイスに示してもよい。例えば、ネットワークデバイスは、現在のモードに対応するチャネル状態、現在のモードに対応するサービス要件等に基づいて、現在のモードに対応するDMRSパターンを柔軟に決定してもよく、この出願のこの実施形態はそのことに限定されない。
【０１２９】
330.端末デバイスは、現在のモードに対応するDMRSパターンに基づいてDMRSデマッピングを実行する。
【０１３０】
ネットワークデバイスにより送信されたデータを受信した後に、端末デバイスは、現在のモードに対応するDMRSパターンに基づいてDMRSデマッピングを実行し、DMRSに基づいてデータを復調してもよい。
【０１３１】
DMRSデマッピングを実行する前に、端末デバイスは、ネットワークデバイスによりDMRSマッピングに使用されるDMRSパターン、すなわち、現在のモードに対応するDMRSパターンを習得する必要があることが理解されるべきである。
【０１３２】
実現方式では、現在のモードに対応するDMRSパターンは、システムにより予め設定されてもよい。具体的には、システムは、リソーススケジューリングユニットのモードとDMRSパターンとの間の対応関係を予め設定してもよく、リソーススケジューリングユニットのモードを決定したとき、端末デバイスは、予め設定された対応関係に基づいて、現在のモードに対応するDMRSパターンを決定してもよい。具体的には、端末デバイスは、複数の方式で現在のモードを決定してもよい。
【０１３３】
任意選択で、端末デバイスは、ネットワークデバイスの指示に基づいて現在のモードを決定してもよい。具体的には、端末デバイスは、ネットワークデバイスにより送信された第1の指示情報を受信してもよく、第1の指示情報は、現在のモードを決定するために端末デバイスにより使用される。第1の指示情報を取得した後に、端末デバイスは、第1の指示情報に従ってリソーススケジューリングユニットの現在のモードを決定してもよい。
【０１３４】
第1の指示情報は、現在のモードが集約モード又は周波数ホッピングモードであることを直接的に示してもよいことが理解されるべきである。任意選択で、第1の指示情報は、現在のモードを間接的に示してもよい。例えば、第1の指示情報は、リソーススケジューリングユニットの長さを示し、端末デバイスは、リソーススケジューリングユニットの長さに基づいて現在のモードを決定してもよい。他の例では、第1の指示情報は、現在のサービスタイプを示し、端末デバイスは、サービスタイプに基づいて現在のモードを決定し、この出願のこの実施形態はそのことに限定されない。
【０１３５】
ネットワークデバイスは、ダウンリンク制御情報(downlink  control  information,  DCI)、無線リソース制御(radio  resource  control,  RRC)シグナリング及び媒体アクセス制御(media  access  control,  MAC)制御エレメント(control  element,  CE)のような複数のタイプのシグナリングを使用することにより、第1の指示情報を端末デバイスに送信してもよいことが理解されるべきである。これはこの出願のこの実施形態では限定されない。
【０１３６】
任意選択で、端末デバイスは、現在の状態に基づいて現在のモードを決定してもよい。例えば、端末デバイスは、ネットワーク状態又はサービス状態に基づいて現在のモードを決定し、次いで、端末デバイスは、現在のモードをネットワークデバイスに示す。
【０１３７】
代替として、DMRSパターンを決定する他の実現方式では、端末デバイスは、ネットワークデバイスにより送信された第2の指示情報に基づいて、現在のモードに対応するDMRSパターンを決定する。
【０１３８】
ネットワークデバイスは、DCI、RRCシグナリング及びMAC  CEのような複数のタイプのシグナリングを使用することにより、第2の指示情報を端末デバイスに送信してもよいことが理解されるべきである。これはこの出願のこの実施形態では限定されない。
【０１３９】
具体的には、ネットワークデバイスは、ネットワークデバイスが端末デバイスとデータ送信を実行するときにDMRSパターンを決定する必要があるので、ネットワークデバイスは、ネットワークデバイスが端末デバイスとデータ送信を実行するときに使用されるDMRSパターンを端末デバイスに通知し、端末デバイスは、DMRSパターンに基づいてDMRSの時間周波数リソース位置を決定してもよく、次いで、DMRSマッピング又はデマッピングを実行してもよい。
【０１４０】
図４は、この出願の実施形態によるDMRS送信方法を示し、図４は、この出願のこの実施形態によるアップリンク送信中のDMRS送信方法を記載する。具体的には、図４に示すように、当該方法400は、以下のステップを含む。
【０１４１】
410.端末デバイスは、リソーススケジューリングユニットの現在のモードを決定する。
【０１４２】
ステップ410は、図３のステップ330において端末デバイスが現在のモードを決定する方式と同様であることが理解されるべきである。繰り返しを避けるために、詳細な説明はここでは適宜省略する。
【０１４３】
任意選択で、端末デバイスは、ネットワークデバイスの指示に基づいて現在のモードを決定してもよい。具体的には、端末デバイスは、ネットワークデバイスにより送信された第1の指示情報を受信してもよく、第1の指示情報は、現在のモードを決定するために端末デバイスにより使用される。第1の指示情報を取得した後に、端末デバイスは、第1の指示情報に従ってリソーススケジューリングユニットの現在のモードを決定してもよい。
【０１４４】
第1の指示情報は、現在のモードが集約モード又は周波数ホッピングモードであることを直接的に示してもよいことが理解されるべきである。任意選択で、第1の指示情報は、現在のモードを間接的に示してもよい。例えば、第1の指示情報は、リソーススケジューリングユニットの長さを示し、端末デバイスは、リソーススケジューリングユニットの長さに基づいて現在のモードを決定してもよい。他の例では、第1の指示情報は、現在のサービスタイプを示し、端末デバイスは、サービスタイプに基づいて現在のモードを決定し、この出願のこの実施形態はそのことに限定されない。
【０１４５】
ネットワークデバイスは、ダウンリンク制御情報(downlink  control  information,  DCI)、無線リソース制御(radio  resource  control,  RRC)シグナリング及び媒体アクセス制御(media  access  control,  MAC)制御エレメント(control  element,  CE)のような複数のタイプのシグナリングを使用することにより、第1の指示情報を端末デバイスに送信してもよいことが理解されるべきである。これはこの出願のこの実施形態では限定されない。
【０１４６】
任意選択で、端末デバイスは、現在の状態に基づいて現在のモードを決定してもよい。例えば、端末デバイスは、ネットワーク状態又はサービス状態に基づいて現在のモードを決定し、次いで、端末デバイスは、現在のモードをネットワークデバイスに示す。
【０１４７】
420.端末デバイスは、現在のモードに対応するDMRSパターンに基づいてDMRSマッピングを実行する。
【０１４８】
具体的には、端末デバイスは、最初に現在のモードに対応するDMRSパターンを決定し、DMRSパターンに基づいてDMRS及びデータをマッピングし、マッピングされたDMRS及びデータを送信する。
【０１４９】
具体的には、ステップ420において端末デバイスにより現在のモードに対応するDMRSパターンを決定するための方法は、図３のステップ330において端末デバイスにより現在のモードに対応するDMRSパターンを決定するための方法に対応する。繰り返しを避けるために、詳細な説明はここでは適宜省略する。
【０１５０】
実現方式では、現在のモードに対応するDMRSパターンは、システムにより予め設定されてもよい。具体的には、システムは、リソーススケジューリングユニットのモードとDMRSパターンとの間の対応関係を予め設定してもよく、リソーススケジューリングユニットのモードを決定したとき、端末デバイスは、予め設定された対応関係に基づいて、現在のモードに対応するDMRSパターンを決定してもよい。具体的には、端末デバイスは、複数の方式で現在のモードを決定してもよい。
【０１５１】
代替として、DMRSパターンを決定する他の実現方式では、端末デバイスは、ネットワークデバイスにより送信された第2の指示情報に基づいて、現在のモードに対応するDMRSパターンを決定する。
【０１５２】
ネットワークデバイスは、DCI、RRCシグナリング及びMAC  CEのような複数のタイプのシグナリングを使用することにより、第2の指示情報を端末デバイスに送信してもよいことが理解されるべきである。これはこの出願のこの実施形態では限定されない。
【０１５３】
具体的には、ネットワークデバイスは、ネットワークデバイスが端末デバイスとデータ送信を実行するときにDMRSパターンを決定する必要があるので、ネットワークデバイスは、ネットワークデバイスが端末デバイスとデータ送信を実行するときに使用されるDMRSパターンを端末デバイスに通知し、端末デバイスは、DMRSパターンに基づいてDMRSの時間周波数リソース位置を決定してもよく、次いで、DMRSマッピング又はデマッピングを実行してもよい。
【０１５４】
430.ネットワークデバイスは、現在のモードに対応するDMRSパターンに基づいてDMRSデマッピングを実行する。
【０１５５】
端末デバイスにより送信されたデータを受信した後に、ネットワークデバイスは、現在のモードに対応するDMRSパターンに基づいてDMRSデマッピングを実行し、DMRSに基づいてデータを復調してもよい。
【０１５６】
DMRSデマッピングを実行する前に、ネットワークデバイスは、端末デバイスによりDMRSマッピングに使用されるDMRSパターン、すなわち、現在のモードに対応するDMRSパターンを習得する必要があることが理解されるべきである。
【０１５７】
ステップ430においてネットワークデバイスにより現在のモードに対応するパターンを決定するための方法は、図３のステップ320においてネットワークデバイスにより現在のモードに対応するパターンを決定するための方法に対応することが理解されるべきである。繰り返しを避けるために、詳細な説明はここでは適宜省略する。
【０１５８】
実現方式では、現在のモードに対応するDMRSパターンは、システムにより予め設定されてもよい。具体的には、システムは、リソーススケジューリングユニットのモードとDMRSパターンとの間の対応関係を予め設定してもよく、現在のモードを決定した後に、ネットワークデバイス及び端末デバイスは、予め設定された対応関係に基づいて、現在のモードに対応するDMRSパターンを決定してもよい。
【０１５９】
他の実現方式では、ネットワークデバイスは、現在のモードに基づいて対応するDMRSパターンを決定し、第2の指示情報を使用することにより、現在のモードに対応するDMRSパターンを端末デバイスに示してもよい。例えば、ネットワークデバイスは、現在のモードに対応するチャネル状態、現在のモードに対応するサービス要件等に基づいて、現在のモードに対応するDMRSパターンを柔軟に決定してもよく、この出願のこの実施形態はそのことに限定されない。
【０１６０】
具体的には、ネットワークデバイスは、複数の方式で現在のモードを決定してもよい。
【０１６１】
任意選択で、実現方式では、ネットワークデバイスは、端末デバイスにより報告されたチャネル状態情報及びセルのネットワーク状態に基づいて現在のモードを決定してもよい。
【０１６２】
任意選択で、ネットワークデバイスは、端末デバイスにより使用される波形、例えば、シングルキャリア波形又はマルチキャリア波形に基づいて現在のモードを決定してもよい。例えば、端末デバイスがシングルキャリア波形を使用するとき、現在のモードは周波数ホッピングモードでもよく、端末デバイスがマルチキャリア波形を使用するとき、現在のモードは集約モードでもよい。この出願のこの実施形態はそのことに限定されない。例えば、端末デバイスがシングルキャリア波形を使用するとき、現在のモードは、代替として、集約モードでもよい。
【０１６３】
任意選択で、他の実現方式では、ネットワークデバイスは、サービスタイプに基づいて現在のモードを決定してもよい。サービスタイプは、迅速な復調を要求するサービス、高送信性能を要求するサービス等を含んでもよい。
【０１６４】
任意選択で、他の実現方式では、ネットワークデバイスは、端末デバイスにより送信された指示情報に基づいて現在のモードを決定してもよい。具体的には、端末デバイスは、ネットワーク状態又はサービス状態のような現在の状態に基づいて現在のモードを決定してもよく、次いで、端末デバイスは、現在のモードをネットワークデバイスに示す。この場合、端末デバイスは、指示情報をネットワークデバイスに送信し、それにより、ネットワークデバイスは、端末デバイスにより送信された指示情報に基づいて現在のモードを決定する。
【０１６５】
この出願のこの実施形態におけるアップリンク/ダウンリンク送信中のDMRS送信の具体的な形式について上述し、この出願の実施形態におけるDMRSパターンの具体的な形式について添付図面を参照して以下に詳細に説明する。
【０１６６】
具体的には、予め設定されたDMRSパターンは、複数の状況を含んでもよく、例を使用することにより、詳細な説明が以下に行われる。
【０１６７】
状況1:予め設定されたパターンは、前方部分パターン(front-loaded  pattern)である。図５に示すように、1つのリソーススケジューリングユニットが14個のシンボルを占有する例が使用され、DMRSは、1つのリソーススケジューリングユニット内でN個の連続シンボルを占有し、Nは1以上の整数である。図５は、N=1である場合を示す。N個の連続シンボルは、代替として、1つのグループのシンボルと呼ばれてもよく、1つのグループのシンボルは、少なくとも1つ(N個)の連続シンボルを含み、この出願のこの実施形態はそのことに限定されないことが理解されるべきである。
【０１６８】
状況2:予め設定されたパターンは、追加パターン(additional  pattern)である。図６に示すように、1つのリソーススケジューリングユニットが14個のシンボルを占有する例が使用され、DMRSは、L個のグループのシンボルを占有し、Lは2以上の整数であり、L個のグループのシンボルは互いに隣接せず、L個のグループのシンボルのそれぞれは、少なくとも1つの連続シンボルを含む。図６では、L=2である例が使用される。具体的には、DMRSは、1つのリソーススケジューリングユニット内でM個の連続シンボル及びK個の連続シンボルを占有し、M個のシンボルはK個のシンボルに隣接せず、M及びKは1以上の整数である。図６は、M=1且つK=1である状況を示すが、本発明のこの実施形態はそのことに限定されない。例えば、M及びKは、さらに、2、3等に等しくてもよい。任意選択で、この出願のこの実施形態は、DMRSが2つのグループのシンボルを占有する場合に限定されず、Lは、代替として3に等しくてもよい。具体的には、DMRSは、周波数ホッピングなしで1つのリソーススケジューリングユニット内のP個の連続シンボルを更に占有する。任意選択で、Lは、さらに、4、5等に等しくてもよい。
【０１６９】
状況1ではDMRSが1つのグループのシンボルのみを占有し、状況2ではDMRSが少なくとも2つのグループのシンボルを占有し、状況1及び状況2は異なる適用シナリオに対応してもよいことが理解されるべきである。状況2は、チャネル状態が比較的大きく変動するシナリオ、例えば、端末デバイスが急速に移動するシナリオに対応してもよく、状況2では、データは、複数のグループのDMRSを送信することにより正確に復調される。しかし、状況1は、チャネル状態が比較的安定しているシナリオに対応してもよく、したがって、データは、1つのグループのDMRSを送信することにより正確に復調され得る。
【０１７０】
現在のモードが周波数ホッピングモード又は集約モードであるとき、この出願のこの実施形態の現在のモードに対応するDMRSパターンについて、それぞれ上記の2つの状況を参照して、以下に詳細に説明する。
【０１７１】
現在のモードが周波数ホッピングモードであるとき、状態1及び状態2に対応するこの出願のこの実施形態のパターンについて最初に説明する。
【０１７２】
具体的には、現在のモードが周波数ホッピングモードであるとき、上記の状況1について、この出願のこの実施形態では、図７に示すように、現在のモードに対応するDMRSパターンにおけるDMRSは、第1の周波数帯域内のN1個の連続シンボル及び第2の周波数帯域内のN2個の連続シンボルを占有し、N1は1以上の整数であり、N2は1以上の整数である。図７は、N1=1且つN2=1である場合を示す。
【０１７３】
図８は、DMRSが依然として周波数ホッピングモードにおいて図５に示す予め設定されたパターンにおける位置に基づいて送信される既存の方式を示す。図８から、DMRSが第1の周波数帯域で送信され、DMRSは第2の周波数帯域では送信されないことが習得され得る。しかし、実際の適用の中で、第2の周波数帯域に対応するチャネル状態は、通常では、第1の周波数帯域に対応するチャネル状態とは異なる。したがって、データが第1の周波数帯域で送信されたDMRSのみに基づいて復調された場合、第2の周波数帯域でのデータ復調の精度が影響を受け、ネットワーク性能が影響を受ける。
【０１７４】
しかし、この出願のこの実施形態では、周波数ホッピングモードにおいて、2つの周波数帯域のチャネル状態は異なる。したがって、この出願のこの実施形態では、DMRSは各周波数帯域で送信され、それにより、受信端デバイスは、周波数帯域内のDMRSに基づいて対応するデータを復調でき、それにより、データ復調精度を改善し、復調性能を改善する。
【０１７５】
N2個のシンボルの位置は、第2の周波数帯域内のいずれかの位置でもよく、この出願のこの実施形態はそのことに限定されないことが理解されるべきである。
【０１７６】
任意選択で、実施形態では、N1=N2であり、第1の周波数帯域内のN1個のシンボルの位置は、第2の周波数帯域内のN2個のシンボルの位置と対称的である。例えば、図９に示すように、N1=N2=1であり、N1個のシンボルの位置及びN2個のシンボルの位置は、それぞれ、第1の周波数帯域内の第3シンボルの位置及び第2の周波数帯域内の第3シンボルの位置である。
【０１７７】
したがって、この出願のこの実施形態では、2つの周波数帯域内のDMRSは対称的に配置され、それにより、受信端デバイスは、同じ方式で2つの周波数帯域でデータ復調を実行でき、それにより、復調の複雑さを低減し、ネットワーク性能を改善する。
【０１７８】
任意選択で、他の実施形態では、N1=N2=1又は2である。
【０１７９】
任意選択で、N1個のシンボルは、第1の周波数帯域内の第1の領域内の第1シンボルを含み、第1の領域は、データ及びDMRSにより占有されるシンボルを含む。
【０１８０】
任意選択で、N2個のシンボルは、第2の周波数帯域内の第1シンボルを含む。
【０１８１】
任意選択で、他の実施形態では、N2個のシンボルは、第2の周波数帯域内の第1シンボルを含む。例えば、図７に示すように、N2=1であり、DMRSは、第2の周波数帯域内の第1シンボルを占有する。図７は、N2=1である状況のみを示すが、この出願のこの実施形態はそのことに限定されないことが理解されるべきである。DMRSが第2の周波数帯域内の複数のシンボルの位置を占有するとき、複数のシンボルは、第2の周波数帯域内の第1シンボルから連続的に配置される。例えば、N2=2であるとき、DMRSは、第2の周波数帯域内の第1シンボル及び第2シンボルを占有する。
【０１８２】
受信端デバイスは、受信端デバイスがDMRSを取得した後にのみデータを復調してもよい。したがって、この出願のこの実施形態では、DMRSは、第2の周波数帯域内の第1シンボルを占有するように設定され、それにより、受信端デバイスは、最初にDMRSを取得でき、次いで、データを迅速に復調できる。
【０１８３】
N2個のシンボルの位置は、さらに、第2の周波数帯域内のいずれかの位置でもよく、この出願のこの実施形態はそのことに限定されないことが理解されるべきである。
【０１８４】
例えば、N2個のシンボルの位置は、第2の周波数帯域の前半部分にあるか、或いはN2個のシンボルのうち第1シンボルは、第2の周波数帯域の前半部分に位置する。例えば、N2=2であり、2つのシンボルは、第2の周波数帯域内の第2シンボル及び第3シンボル又は第3シンボル及び第4シンボルでもよく、この出願のこの実施形態はそのことに限定されない。
【０１８５】
現在のモードが周波数ホッピングモードであるとき、上記の状況2における追加パターンの場合、この出願のこの実施形態では、図１０に示すように、現在のモードに対応するDMRSパターンにおけるDMRSは、第1の周波数帯域内のシンボルのうちM1個の連続シンボル及びK1個の連続シンボルと、第2の周波数帯域内のM2個の連続シンボル及びK2個の連続シンボルとを占有し、M1個のシンボルはK1個のシンボルに隣接せず、M2個のシンボルはK2個のシンボルに隣接せず、M1、K1、M2及びK2は1以上の整数である。図１０は、M1、K1、M2及びK2のそれぞれが1に等しい場合を示す。
【０１８６】
任意選択で、上記は、周波数ホッピングの前に2つのシーケンスのDMRSが存在する場合、周波数ホッピング後に前者の周波数帯域及び後者の周波数帯域のそれぞれに2つのシーケンスのDMRSが存在する場合を記載しているが、この出願のこの実施形態はそのことに限定されない。例えば、周波数ホッピングの前に1つより多くのシーケンスのDMRSが存在するという条件で、この出願のこの実施形態は、周波数ホッピング後に以下の3つの種類のタイプ2のいずれか1つでもよい。詳細については、タイプ2についての以下の説明を参照する。
【０１８７】
図１１は、DMRSが依然として周波数ホッピングモードにおいて図６に示す予め設定されたパターンにおける位置に基づいて送信される既存の方式を示す。図１１から、1つのグループのDMRSが、第1の周波数帯域及び第2の周波数帯域のそれぞれで送信されることが習得され得る。しかし、上記の状況2のシナリオでは、チャネル状態が比較的大きく変動するので、1つのグループのDMRSのみが1つの周波数帯域で送信される場合、正確なデータ復調を確保することは困難である。
【０１８８】
しかし、この出願のこの実施形態では、周波数ホッピングモードにおいて、チャネル状態が比較的大きく変動するときに正確なデータ復調を確保するために、複数のグループ(L個のグループ)のDMRSが2つの周波数帯域のそれぞれで送信される。
【０１８９】
図６は、予め設定された追加パターンにおいてDMRSにより占有される2つのグループのシンボルにおいて、第1のグループのシンボルがリソーススケジューリングユニットの前半部分に位置し、第2のグループのシンボルがリソーススケジューリングユニットの後半部分に位置する場合を記載していることが理解されるべきである。しかし、本発明のこの実施形態はそのことに限定されない。例えば、図６における追加パターンは、2つのグループの占有シンボルのそれぞれがリソーススケジューリングユニットの前半部分に位置し得るパターンに発展してもよい。例えば、予め設定された追加パターンにおけるDMRSは、第3シンボル及び第6シンボルを占有する。したがって、この場合、図１１に示す既存の方式での周波数ホッピングモードにおけるパターンは、2つのグループのDMRSが第1の周波数帯域で送信されるパターンに発展してもよい。例えば、DMRSは、第1の周波数帯域内の第3シンボル及び第6シンボルで送信され、DMRSは、第2の周波数帯域では送信されない。この場合、DMRSが第2の周波数帯域では送信されないので、第2の周波数帯域でのデータ復調の精度が影響を受け、ネットワーク性能が影響を受ける。
【０１９０】
しかし、この出願のこの実施形態では、周波数ホッピングモードにおいて、2つの周波数帯域のチャネル状態は異なる。したがって、この出願のこの実施形態では、DMRSは各周波数帯域で送信され、それにより、受信端デバイスは、周波数帯域内のDMRSに基づいて対応するデータを復調でき、それにより、データ復調精度を改善し、復調性能を改善する。
【０１９１】
第1の周波数帯域及び第2の周波数帯域でDMRSにより占有されるシンボルの位置は、この出願のこの実施形態では限定されないことが理解されるべきである。各周波数帯域がL個のグループのDMRSを含むという条件で、これはこの出願のこの実施形態では限定されない。
【０１９２】
任意選択で、他の実施形態では、M1=M2であり、K1=K2であり、第1の周波数帯域内のM1個のシンボル及びK1個のシンボルの位置は、第2の周波数帯域内のM2個のシンボル及びK2個のシンボルの位置と対称的である。例えば、図１２に示すように、M1=M2=1であり、K1=K2=1であり、各DMRSは、第1の周波数帯域及び第2の周波数帯域内の第3シンボル及び第6シンボルの位置を占有する。
【０１９３】
この出願のこの実施形態では、2つの周波数帯域内のDMRSは対称的に配置され、それにより、受信端デバイスは、同じ方式で2つの周波数帯域でデータ復調を実行でき、それにより、復調の複雑さを低減し、ネットワーク性能を改善する。
【０１９４】
任意選択で、他の実施形態では、M2個のシンボルは、第2の周波数帯域内の第1シンボルを含む。例えば、図１０に示すように、M2=1であり、M2は第2の周波数帯域内の第1シンボルに対応する。図１０は、M2=1である状況のみを示すが、この出願のこの実施形態はそのことに限定されないことが理解されるべきである。DMRSが第2の周波数帯域内の複数のシンボルの位置を占有するとき、複数のシンボルは、第2の周波数帯域内の第1シンボルから連続的に配置される。例えば、M2=2であるとき、DMRSは、第2の周波数帯域内の第1シンボル及び第2シンボルを占有する。
【０１９５】
受信端は、受信端デバイスがDMRSを取得した後にのみデータを復調してもよい。したがって、この出願のこの実施形態では、DMRSは、第2の周波数帯域内の第1シンボルを占有し、それにより、受信端デバイスは、最初にDMRSを取得し、迅速な復調を実行でき、それにより、迅速なデータ復調の要件を満たす。
【０１９６】
M2個のシンボルの位置は、さらに、第2の周波数帯域内のいずれかの位置でもよく、この出願のこの実施形態はそのことに限定されないことが理解されるべきである。
【０１９７】
例えば、M2個のシンボルの位置は、第2の周波数帯域の前半部分にあるか、或いはM2個のシンボルのうち第1シンボルは、第2の周波数帯域の前半部分に位置する。例えば、M2=2であり、2つのシンボルは、第2の周波数帯域内の第2シンボル及び第3シンボル又は第3シンボル及び第4シンボルでもよく、この出願のこの実施形態はそのことに限定されない。
【０１９８】
任意選択で、他の実施形態では、M1=M2=1又は2であり、K1=K2=1又は2である。
【０１９９】
任意選択で、K1個のシンボルは、第1の周波数帯域内の最後のシンボル、最後から2番目のシンボル又は最後から3番目のシンボルを含む。
【０２００】
任意選択で、他の実施形態では、M1個のシンボルは、第1の周波数帯域内の第1の領域内の第1シンボルを含み、第1の領域は、データ及びDMRSにより占有されるシンボルを含む。
【０２０１】
任意選択で、他の実施形態では、M2個のシンボルは、第2の周波数帯域の第1シンボルを含む。
【０２０２】
任意選択で、他の実施形態では、M1=Mであり、M1個のシンボルの位置は、M個のシンボルの位置と同じであり、K1個のシンボルは、第1の周波数帯域内の最後のシンボルを含み、M2個のシンボルは、第1の周波数帯域内の第1シンボルを含み、K2=Kであり、K2個のシンボルの位置は、K個のシンボルの位置と同じであるか、或いはK2個のシンボルの位置は、予め設定された位置である。
【０２０３】
任意選択で、他の実施形態では、M1=Mであり、M1個のシンボルの位置は、M個のシンボルの位置と同じであり、K1個のシンボルは、全体のリソーススケジューリングユニット内の第7シンボルを含み、全体のリソーススケジューリングユニットは、第1の周波数帯域で占有されるシンボルと第2の周波数帯域で占有されるシンボルとの和を含み、全体のリソーススケジューリングユニットは、14個のシンボルを含み、M2個のシンボルは、全体のリソーススケジューリングユニット内の第8シンボルを含み、K2=Kであり、K2個のシンボルの位置は、K個のシンボルの位置と同じであるか、或いはK2個のシンボルの位置は、予め設定された位置である。
【０２０４】
上記の状況2について、上記は、1つのリソーススケジューリングユニット内でL=2である場合、すなわち、DMRSが2つのグループのシンボルを占有する例のみを記載しているが、この出願のこの実施形態はそのことに限定されないことが理解されるべきである。実際の適用の中で、Lは、代替として3、4等に等しくてもよい。具体的には、DMRSパターンにおけるDMRSは、3つのグループ、4つのグループ又はより多くのグループのDMRSシンボルを占有してもよい。例えば、図１３に示すように、1つの予め設定されたリソーススケジューリングユニットは、3つのグループのDMRSを含む。具体的には、予め設定されたDMRSパターンにおけるDMRSは、周波数ホッピングなしで1つのリソーススケジューリングユニット内のM個の連続シンボル、K個の連続シンボル及びP個の連続シンボルを占有し、P個のシンボル、M個のシンボル及びK個のシンボルは互いに隣接しない。したがって、現在のモードに対応するDMRSパターンにおけるDMRSは、第1の周波数帯域内のシンボルのうちM1個の連続シンボル、K1個の連続シンボル及びP1個の連続シンボルと、第2の周波数帯域内のM2個の連続シンボル、K2個の連続シンボル及びP2個の連続シンボルとを更に占有する。P1個のシンボルはM1個のシンボルにもK1個のシンボルにも隣接せず、P2個のシンボルはM2個のシンボルにもK2個のシンボルにも隣接せず、M、K、P、M1、K1、P1、M2、K2及びP2は1以上の整数である。簡潔にするために、図１３は、M、K、P、M1、K1、P1、M2、K2及びP2のそれぞれが1に等しい場合のみを示すが、この出願のこの実施形態はそのことに限定されない。
【０２０５】
Lが4又は他の値に等しい場合は、Lが2又は3に等しい上記の場合と同様でもよいことが理解されるべきである。繰り返しを避けるために、詳細はここでは1つずつ再び説明しない。
【０２０６】
上記は、現在のモードが周波数ホッピングモードであるときの状況1及び状況2に対応する、この出願のこの実施形態の現行モードに対応するDMRSパターンの場合を記載している。
【０２０７】
この出願のこの実施形態では、DMRSにより占有される複数の連続シンボルは、代替として、1つのグループのDMRSシンボル又は1つのシーケンスのDMRSシンボルと呼ばれてもよく、ここでのDMRSの数(又は数量)は、シンボルの数量ではなく、DMRSにより占有されるシンボルのグループの数量又はシンボルのシーケンスの数量を示すことが理解されるべきである。言い換えると、この出願のこの実施形態では、DMRSは、複数のグループ又は複数のシーケンスを含んでもよく、2つのシーケンスのDMRSは、時間的に不連続である。具体的には、2つのシーケンスのDMRSは、少なくとも1つのシンボルで隔てられている。1つのグループのDMRS又は1つのシーケンスのDMRSは、少なくとも1つの連続シンボル(例えば、1つ、2つ又は3つのシンボル)が時間領域において占有されることを示す。図２０は、この出願のこの実施形態での周波数ホッピングモードにおける4つの種類の典型的なタイプ(type)、すなわち、タイプ1及び3つの種類のタイプ2を示し、3つの種類のタイプ2は、タイプ2-I、タイプ2-II及びタイプ2-IIIを含む。
【０２０８】
図２０は、この出願のこの実施形態での周波数ホッピングモードにおける4つの種類の典型的なタイプ(type)、すなわち、タイプ1及び3つの種類のタイプ2を示し、3つの種類のタイプ2は、タイプ2-I、タイプ2-II及びタイプ2-IIIを含む。
【０２０９】
タイプ1は、周波数ホッピング後に1つのシーケンスのDMRSのみが各周波数帯域に存在することであり、タイプ2-Iは、周波数ホッピング後に2つのシーケンスのDMRSが各周波数帯域に存在することであり、タイプ2-IIは、周波数ホッピング後に2つのシーケンスのDMRSが第1の周波数帯域に存在し、1つのシーケンスのDMRSが第2の周波数帯域に存在することであり、タイプ2-IIIは、周波数ホッピング後に1つのシーケンスのDMRSが第1の周波数帯域に存在し、2つのシーケンスのDMRSが第2の周波数帯域に存在することである。
【０２１０】
この出願のこの実施形態では、図２０は、各シーケンスのDMRSが1つのシンボルを占有する場合のみを示すが、この出願のこの実施形態は、1つのシーケンスのDMRSが少なくとも1つの連続シンボルを占有するという条件で、そのことに限定されないことが理解されるべきである。例えば、1つのシーケンスのDMRSは、1つのシンボルを占有するか、或いは2つの連続シンボルを占有する。
【０２１１】
この出願のこの実施形態では、図２０は、14個のシンボルが周波数ホッピング後に2つの周波数帯域で等しく分割される場合を示すことが更に理解されるべきである。具体的には、7つのシンボルが各周波数帯域に存在するが、この出願のこの実施形態はそのことに限定されず、2つの周波数帯域内のシンボルの数量は、代替として等しくなくてもよい。例えば、第1の周波数帯域は6つのシンボルを含み、第2の周波数帯域は8つのシンボルを含むか、第1の周波数帯域は4つのシンボルを含み、第2の周波数帯域は10個のシンボルを含むか、或いは第1の周波数帯域は9つのシンボルを含み、第2の周波数帯域は5つのシンボルを含む。
【０２１２】
図２０は、この出願のこの実施形態でのDMRSパターンの4つの種類のタイプのみを示すが、各種類のパターンタイプにおけるDMRSの位置及びDMRSの間の関係は記載されていないことが理解されるべきである。各種類のタイプ及びタイプにおけるDMRSの位置について、以下に詳細に説明する。
【０２１３】
この出願のこの実施形態において、DMRSがシンボルに「位置する」ことは、DMRSがシンボルを占有することを示してもよく、或いはDMRSがシンボル内で固定されることを示してもよく、この出願のこの実施形態はそのことに限定されないことが理解されるべきである。
【０２１４】
第1の周波数帯域について1つのシーケンスのDMRSのみが存在し、1つのシーケンスのDMRSの位置は、図２１〜図２４に対応する以下の4つの原理に従ってもよい。
【０２１５】
1つのシーケンスのDMRSは、1つのシンボルを占有してもよく、或いは2つの連続シンボルを占有してもよいことが理解されるべきである。この出願のこの実施形態では、説明を容易にするために、1つのシーケンスのDMRSが1つのシンボルを占有する例のみが引用されるが、この出願のこの実施形態はそのことに限定されない。
【０２１６】
図２１〜図２４において、説明を容易にするために、第1の周波数帯域内のDMRSの位置のみが描かれ、第2の周波数帯域内のDMRSの位置は描かれないことが更に理解されるべきである。
【０２１７】
第1の原理:図２１に示すように、1つのシーケンスのDMRSの位置は、第1の周波数帯域内の全てのOFDMシンボルの中央にある。図２１に示すように、Nは、第1の周波数帯域内の全てのOFDMシンボルの数量を示す。
【０２１８】
第1の周波数帯域内のシンボルの数量が偶数であるとき、1つのシーケンスのDMRSは、(N/2)+1又は(N/2)個のシンボルを占有してもよいことに特に留意すべきである。第1の周波数帯域内のシンボルの数量が奇数であるとき、1つのシーケンスのDMRSは、中間シンボルを占有してもよい。例えば、N=7であるとき、1つのシーケンスのDMRSは、第4シンボルを占有する。
【０２１９】
第2の原理:図２２に示すように、1つのシーケンスのDMRSの位置は、第1の周波数帯域内の第1の領域内の中間シンボルにあり、第1の領域は、データ及びDMRSにより占有されるシンボルを含む。図２２に示すように、Nは、第1の領域により占有されるシンボルの数量を示す。
【０２２０】
この出願では、周波数帯域内の第1の領域は、当該周波数帯域内のデータ及びDMRSにより占有されるシンボルを含むことが理解されるべきである。繰り返しを避けるために、詳細は以下では1つずつ再び説明しない。
【０２２１】
第3の原理:図２３に示すように、前方部分(front  loaded)のDMRSの指示情報により示される位置は、1つのシーケンスのDMRSの位置として使用され、周波数ホッピングなしで、指示情報は、第1のシーケンスのDMRSの位置を示す。
【０２２２】
図２３に示すように、指示情報は、前方部分のDMRSが第4シンボルにある(周波数ホッピングなしで、DMRSは第4シンボルを占有する)ことを示し、したがって、第1の周波数帯域内のDMRSもまた周波数ホッピング後に第4シンボルを占有する。
【０２２３】
第4の原理:図２４に示すように、1つのシーケンスのDMRSの位置は、第1の領域から始まる第Mシンボルにある。実際の適用の中で、Mは1に等しくてもよいが、この出願のこの実施形態はそのことに限定されない。例えば、M=2、3、4又は5である。
【０２２４】
第2の周波数帯域について1つのシーケンスのDMRSのみが存在し、1つのシーケンスのDMRSの位置は以下の7つの原理に従ってもよい。
【０２２５】
1つのシーケンスのDMRSは、1つのシンボルを占有してもよく、或いは2つの連続シンボルを占有してもよいことが理解されるべきである。この出願のこの実施形態では、説明を容易にするために、1つのシーケンスのDMRSが1つのシンボルを占有する例のみが引用されるが、この出願のこの実施形態はそのことに限定されない。
【０２２６】
図２５〜図２９において、説明を容易にするために、第2の周波数帯域内のDMRSの位置のみが描かれ、第1の周波数帯域内のDMRSの位置は描かれないことが更に理解されるべきである。
【０２２７】
第1の原理:図２５に示すように、1つのシーケンスのDMRSの位置は、第2の周波数帯域内の全てのOFDMシンボルの中央にある。図２５に示すように、Nは、第2の周波数帯域内の全てのOFDMシンボルの数量を示す。
【０２２８】
第1の周波数帯域内のシンボルの数量が偶数であるとき、1つのシーケンスのDMRSは、(N/2)+1又は(N/2)個のシンボルを占有してもよいことに特に留意すべきである。第1の周波数帯域内のシンボルの数量が奇数であるとき、1つのシーケンスのDMRSは、中間シンボルを占有してもよい。例えば、N=7であるとき、1つのシーケンスのDMRSは、第4シンボルを占有する。
【０２２９】
第2の原理:図２６に示すように、1つのシーケンスのDMRSの位置は、第2の周波数帯域内の第1の領域内の中間シンボルにある。図２６に示すように、Nは、第1の領域により占有されるシンボルの数量を示す。
【０２３０】
第3の原理:図２７に示すように、1つのシーケンスのDMRSの位置は、第1の領域から始まる第Mシンボルにある。実際の適用の中で、Mは1に等しくてもよいが、この出願のこの実施形態はそのことに限定されない。例えば、M=2、3、4又は5である。
【０２３１】
第4の原理:図２８及び図２９に示すように、第2の周波数帯域内の1つのシーケンスのDMRSの位置は、第1の周波数帯域内の第1のシーケンスのDMRSの位置と対称的であるか、或いはそれに対応する。
【０２３２】
図２８は、第2の周波数帯域内の全てのシンボルにおける第2の周波数帯域内の1つのシーケンスのDMRSの位置が、第1の周波数帯域内の全てのシンボルにおける第1の周波数帯域内の第1のDMRSの位置と対称的である場合を示す。図２９は、第2の周波数帯域内の第1の領域内のシンボルにおける第2の周波数帯域内の1つのシーケンスのDMRSの位置が、第1の周波数帯域内の第1の領域内の全てのシンボルにおける第1の周波数帯域内の第1のDMRSの位置と対称的である場合を示す。
【０２３３】
図２８に示すように、ここでの対称性は、大局的対称性(global  symmetry)でもよい。例えば、第1の周波数帯域内のシンボルの数量は、第2の周波数帯域内のシンボルの数量に等しく、第1の周波数帯域でDMRSにより占有されるシンボルの位置と、第2の周波数帯域でDMRSにより占有されるシンボルの位置とは、対称的であり、例えば、共に中間の位置である。図２８における最初の添付図面は、中間の位置を占有する場合を示す。任意選択で、図２８に示すように、ここでの対称性は、後方対称性(rear  symmetry)でもよい。具体的には、第1の周波数帯域内のDMRSは、最後から第Xシンボルの位置を占有し、したがって、第2の周波数帯域内のDMRSは、同様に最後から第Xシンボルの位置を占有する。図２８の中間の添付図面は、X=3である場合を示す。任意選択で、図２８に示すように、ここでの対称性は、前方対称性(front  symmetry)でもよい。具体的には、第1の周波数帯域内のDMRSは、第Xシンボルの位置を占有し、したがって、第2の周波数帯域内のDMRSは、同様に第Xシンボルの位置を占有する。図２８の第3の添付図面は、X=4である場合を示す。
【０２３４】
図２９に示すように、ここでの対称性は、後方対称性でもよい。具体的には、第1の周波数帯域内のDMRSは、最後から第Xシンボルの位置を占有し、したがって、第2の周波数帯域内のDMRSは、同様に最後から第Xシンボルの位置を占有する。図２９の中間の添付図面は、X=4である場合を示し、第3の添付図面は、X=4である場合を示す。任意選択で、図２９に示すように、ここでの対称性は、前方対称性でもよい。具体的には、第1の周波数帯域内のDMRSは、第Xシンボルの位置を占有し、したがって、第2の周波数帯域内のDMRSは、同様に第Xシンボルの位置を占有する。図２９の最初の添付図面は、X=1である場合を示す。
【０２３５】
第5の原理:図３０に示すように、1つのシーケンスのDMRSの位置は、additional  DMRSの指示情報により示される位置であり、周波数ホッピングなしで、指示情報は、追加DMRSの位置を示す。複数のシーケンスのadditional  DMRSが存在する場合、1つのシーケンスのDMRSの位置は、指示情報により示される第Nのシーケンスのadditional  DMRSの位置と同じであり、例えば、第1のシーケンスのadditional  DMRSの位置と同じであることに留意すべきである。このように、1つのシーケンスのDMRSの位置は{7,8,10,12,13}のうち1つでもよい。
【０２３６】
第6の原理:1つのシーケンスのDMRSの位置は、いくつかの特定のシンボルから選択される。例えば、1つのシーケンスのDMRSが1つのシンボルを含む場合、1つのシーケンスのDMRSは、第2の周波数帯域内の第1シンボル、第3シンボル又は第5シンボルを占有してもよく、或いは1つのシーケンスのDMRSは、全体のスケジューリングユニット内の第8シンボル、第10シンボル又は第12シンボルを占有してもよい。
【０２３７】
任意選択で、1つのシーケンスのDMRSの位置は、代替として、フレーム構造又はPUSCHシンボル位置(又は第1の領域内の位置)に結び付けられてもよく(或いはそれとの対応関係を有してもよく)、1つのフレーム構造又は1つのPUSCHシンボル位置は、1つの配置位置に対応してもよく、この出願のこの実施形態はそのことに限定されない。
【０２３８】
1つのシーケンスのDMRSにより占有されるシンボルの位置は、シグナリングを使用することにより構成されてもよく、この出願のこの実施形態はそのことに限定されない。
【０２３９】
第7の原理:1つのシーケンスのDMRSは、第1の周波数帯域内の第1のシーケンスのDMRSの後のN個のシンボルに位置する。例えば、N=4/6/8である。
【０２４０】
上記は、1つのシーケンスのDMRSが第1の周波数帯域及び第2の周波数帯域のそれぞれに存在するときの位置を記載していることが理解されるべきである。実際の適用の中で、タイプ1におけるDMRSの位置は、上記の組み合わせのうちいずれか1つを通じて取得されてもよく、この出願のこの実施形態はそのことに限定されない。具体的には、タイプ1が決定された後に、ネットワークデバイス及び端末デバイスは、予め設定されたルール、すなわち、上記の組み合わせのうちいずれか1つにおけるルールに基づいて、DMRSパターンを決定してもよい。
【０２４１】
任意選択で、実際の適用の中で、タイプ1におけるDMRSの位置は、シグナリングを使用することにより、ネットワークデバイスにより端末デバイスに対して構成されてもよく、例えば、RRCシグナリング、DCIシグナリング又はMAC  CEシグナリングを使用することにより構成されてもよく、この出願のこの実施形態はそのことに限定されない。
【０２４２】
第1の周波数帯域について2つのシーケンスのDMRS(タイプ2-I及びタイプ2-IIに対応する)が存在し、2つのシーケンスのDMRSの位置は以下の7つの原理に従ってもよい。
【０２４３】
2つのシーケンスのDMRSのそれぞれは、1つのシンボルを占有してもよく、或いは2つの連続シンボルを占有してもよいことが理解されるべきである。この出願のこの実施形態では、説明を容易にするために、各シーケンスのDMRSが1つのシンボルを占有する例のみが引用されるが、この出願のこの実施形態はそのことに限定されない。
【０２４４】
図３１〜図３４において、説明を容易にするために、第1の周波数帯域内のDMRSの位置のみが描かれ、第2の周波数帯域内のDMRSの位置は描かれないことが更に理解されるべきである。
【０２４５】
第1の原理:図３１に示すように、2つのシーケンスのDMRSのうち第1のシーケンスは、全体の第1の周波数帯域内の第N1  OFDMシンボルに固定され、第2のシーケンスは、全体の第1の周波数帯域内の最後から第N2  OFDMシンボルに固定される。
【０２４６】
第2の原理:図３２に示すように、2つのシーケンスのDMRSのうち第1のシーケンスは、第1の周波数帯域内の第1の領域内のシンボルのうち第N1  OFDMシンボルに固定され、第2のシーケンスは、第1の周波数帯域内の第1の領域内のシンボルのうち最後から第N2  OFDMシンボルに固定される。
【０２４７】
第3の原理:図３３に示すように、前方部分(front  loaded)のDMRSの指示情報により示される位置は、2つのシーケンスのDMRSのうち第1のシーケンスに使用され、周波数ホッピングなしで、指示情報は、第1のシーケンスのDMRSの位置を示す。第2のシーケンスは、第1の周波数帯域内の第1の領域内のシンボルのうち最後から第N2  OFDMシンボルに固定される。例えば、N2=1、2又は3である。
【０２４８】
この出願における前方部分のDMRSは、リソーススケジューリングユニット内の第1のシーケンスのDMRSであり、通常では、リソーススケジューリングユニットの前半部分に位置することが理解されるべきである。この出願におけるfront-loaded  DMRSは、前方部分のDMRSと等価であることが理解されるべきである。additional  DMRSは、追加DMRSと等価であり、前方部分のDMRSの後に位置する他のシーケンスのDMRSである。
【０２４９】
第4の原理:図３４に示すように、front-loaded  DMRSの指示情報により示される位置は、2つのシーケンスのDMRSのうち第1のシーケンスの位置として使用され、additional  DMRSの指示情報により示される周波数帯域内の位置は、第2のシーケンスに使用され、additional  DMRSの指示情報が周波数帯域内の複数の位置を示すとき、第2のシーケンスの位置は、複数の位置のうち最後のものである。
【０２５０】
第5の原理:2つのシーケンスのDMRSのうち第1のシーケンスは、全体の第1の周波数帯域の中央又は第1の周波数帯域内の第1の領域に位置し、第2のシーケンスは、第1の周波数帯域内の第1の領域内のシンボルのうち最後から第N2  OFDMシンボルに固定される。
【０２５１】
第6の原理:2つのシーケンスのDMRSのうち第1のシーケンスの位置は、周波数hoppingなしで第1のシーケンスの位置と同じであり、第2のシーケンスは、第1の周波数帯域内の最後のシンボル、最後から2番目のシンボル又は最後から3番目のシンボルに固定される。具体的には、第2のシーケンスのDMRSの位置は、フレーム構造に結び付けられてもよく、或いはそれに対応してもよく、この出願のこの実施形態はそのことに限定されない。
【０２５２】
第7の原理:2つのシーケンスのDMRSのうち第1のシーケンスは、全体のスケジューリングリソース内の第N1  OFDMシンボルに固定され、第2のシーケンスは、第1のシーケンスの後の第Nシンボルに固定され、N=1/2/3/4である。
【０２５３】
第2の周波数帯域について2つのシーケンスのDMRS(タイプ2-I及びタイプ2-IIIに対応する)が存在し、2つのシーケンスのDMRSの位置は以下の8つの原理に従ってもよい。
【０２５４】
第1の原理:2つのシーケンスのDMRSのうち第1のシーケンスは、全体の第2の周波数帯域内の第N1  OFDMシンボルに固定され、第2のシーケンスは、全体の第2の周波数帯域内の最後から第N2  OFDMシンボルに固定される。
【０２５５】
第2の原理:2つのシーケンスのDMRSのうち第1のシーケンスは、第2の周波数帯域内の第1の領域内のシンボルのうち第N1  OFDMシンボルに固定され、第2のシーケンスは、第2の周波数帯域内の第1の領域内のシンボルのうち最後から第N2  OFDMシンボルに固定される。
【０２５６】
第3の原理:図３５に示すように、additional  DMRSの指示情報により示される位置は、2つのシーケンスのDMRSのうち第2のシーケンスに使用され、周波数ホッピングなしで、指示情報は、周波数帯域内のDMRSの位置を示し、指示情報が複数のシーケンスのDMRSの位置を示すとき、第2のシーケンスの位置は、指示情報により示される最後のシーケンスのDMRSの位置である。第1のシーケンスは、第2の周波数帯域内の第1領域内のシンボルのうち第N1  OFDMシンボルに固定される。例えば、N1=1、2又は3である。
【０２５７】
第4の原理:additional  DMRSの指示情報により示される位置は、2つのシーケンスのDMRSに使用され、周波数ホッピングなしで、指示情報は、2つのシーケンスのDMRSの位置を示し、指示情報が周波数帯域内の複数のDMRSの位置を示すとき、2つの位置が、2つのシーケンスのDMRSの位置として選択されてもよい。例えば、最初の位置及び最後の位置が、2つのシーケンスのDMRSの位置として選択される。
【０２５８】
第5の原理:2つのシーケンスのDMRSは、所定のシンボル位置に位置する。例えば、2つのシーケンスのDMRSのそれぞれが1つのシンボルを含む場合、2つのシーケンスのDMRSは、第2の周波数帯域内の第1シンボル、第3シンボル及び第5シンボルのうち2つを含んでもよく、或いは2つのシーケンスのDMRSは、全体のリソーススケジューリングユニット内の第8シンボル、第10シンボル及び第12シンボルのうち2つを含んでもよい。
【０２５９】
任意選択で、2つのシーケンスのDMRSの位置は、代替として、フレーム構造又はPUSCHシンボル位置(又は第1の領域内の位置)に結び付けられてもよく(或いはそれとの対応関係を有してもよく)、1つのフレーム構造又は1つのPUSCHシンボル位置は、1つの配置位置に対応してもよく、この出願のこの実施形態はそのことに限定されない。
【０２６０】
2つのシーケンスのDMRSにより占有されるシンボルの位置は、シグナリングを使用することにより構成されてもよく、この出願のこの実施形態はそのことに限定されない。
【０２６１】
第6の原理:2つのシーケンスのDMRSのうち第1のシーケンスは、第1シンボルに位置し、第2のシーケンスのDMRSは、候補セット内の1つのシンボルに位置する。例えば、第2のシーケンスのDMRSは、全体のスケジューリングユニット内のシンボル10及びシンボル12のうち1つに位置し、この出願のこの実施形態はそのことに限定されない。
【０２６２】
任意選択で、第2のシーケンスのDMRSの位置は、代替として、フレーム構造又はPUSCHシンボル位置(又は第1の領域内の位置)に結び付けられてもよく(或いはそれとの対応関係を有してもよく)、1つのフレーム構造又は1つのPUSCHシンボル位置は、1つの配置位置に対応してもよく、この出願のこの実施形態はそのことに限定されない。
【０２６３】
第7の原理:2つのシーケンスのDMRSのうち第1のシーケンスは、全体の第2の周波数帯域内の第N1  OFDMシンボルに固定され、第2のシーケンスは、第1のシーケンスの後の第Mシンボル(M=1/2/3/4)に固定される。
【０２６４】
第8の原理:2つのシーケンスのDMRSのうち第1のシーケンスは、第1の周波数帯域内の第1のシーケンスのDMRSの後の第N1シンボルに位置し、第2のシーケンスは、第1のシーケンスの後の第Mシンボル(N1=2*M且つM=1/2/3/4)に固定される。
【０２６５】
上記は、1つのシーケンスのDMRSが第1の周波数帯域及び第2の周波数帯域のそれぞれに存在するときの位置と、2つのシーケンスのDMRSが第1の周波数帯域及び第2の周波数帯域のそれぞれに存在するときの具体的な位置とを記載していることが理解されるべきである。実際の適用の中で、タイプ2-IにおけるDMRSの位置は、2つのシーケンスのDMRSが第1の周波数帯域及び第2の周波数帯域のそれぞれに存在するときの具体的な位置のいずれかの組み合わせを通じて取得されてもよく、この出願のこの実施形態はそのことに限定されない。具体的には、タイプ2-Iが決定された後に、ネットワークデバイス及び端末デバイスは、予め設定されたルール、すなわち、上記の組み合わせのうちいずれか1つにおけるルールに基づいて、DMRSパターンを決定してもよい。
【０２６６】
同様に、タイプ2-IIにおけるDMRSの位置は、第1の周波数帯域について2つのシーケンスのDMRSが存在するときの位置と、第2の周波数帯域について1つのシーケンスのDMRSのみが存在するときの位置との様々な組み合わせにより取得されてもよく、この出願のこの実施形態はそのことに限定されない。具体的には、タイプ2-IIが決定された後に、ネットワークデバイス及び端末デバイスは、予め設定されたルール、すなわち、上記の組み合わせのうちいずれか1つにおけるルールに基づいて、DMRSパターンを決定してもよい。
【０２６７】
同様に、タイプ2-IIIにおけるDMRSの位置は、第1の周波数帯域について1つのシーケンスのDMRSのみが存在するときの位置と、第2の周波数帯域について2つのシーケンスのDMRSが存在するときの位置との様々な組み合わせにより取得されてもよく、この出願のこの実施形態はそのことに限定されない。具体的には、タイプ2-IIIが決定された後に、ネットワークデバイス及び端末デバイスは、予め設定されたルール、すなわち、上記の組み合わせのうちいずれか1つにおけるルールに基づいて、DMRSパターンを決定してもよい。
【０２６８】
任意選択で、実際の適用の中で、上記の3つの種類のタイプ2におけるDMRSの位置は、シグナリングを使用することにより、ネットワークデバイスにより端末デバイスに対して構成されてもよく、例えば、RRCシグナリング、DCIシグナリング又はMAC  CEシグナリングを使用することにより構成されてもよく、この出願のこの実施形態はそのことに限定されない。
【０２６９】
この出願の実施形態での状況において、データ送信が図２０における上記の4つのタイプのうち1つに対応するDMRSパターンを使用することにより実行される具体的な例について、周波数ホッピングモードにおけるアップリンク送信を例として使用することにより、以下に詳細に説明する。
【０２７０】
この出願のこの実施形態をより理解しやすくするために、この出願のこの実施形態による方法について説明する前に、この出願のこの実施形態におけるいくつかの名詞が、最初に以下のように定義される。
【０２７１】
この出願のこの実施形態では、追加DMRS(additional  DMRS)の構成は、追加DMRSの数量、追加DMRSの位置又は追加DMRSの指示情報を構成することにより実現されてもよい。
【０２７２】
端末デバイスは、追加DMRSの構成に基づいてDMRSの位置を決定してもよく、次いで、DMRS及びデータを送信してもよいことが理解されるべきである。
【０２７３】
この出願のこの実施形態では、追加DMRS構成パラメータは、RRC、DCI及びMAC  CEのうち1つ以上を使用することにより構成されてもよいことが理解されるべきである。
【０２７４】
この出願のこの実施形態では、追加DMRS構成パラメータは、代替として、追加DMRS指示情報と呼ばれてもよく、この出願のこの実施形態はそのことに限定されないことが理解されるべきである。追加DMRSは、前方部分のDMRSの後に位置するDMRSであり、追加DMRS指示情報又は追加DMRS構成パラメータは、以下のもの、すなわち、追加DMRSが存在するか否か、追加DMRSの数量及び追加DMRSの位置のうち少なくとも1つを示すために使用される。
【０２７５】
1つのシーケンスの前方部分のDMRSのみが存在し、追加DMRSが追加DMRS構成パラメータにおいて構成される場合、全体のリソーススケジューリングユニットは、少なくとも2つのシーケンスのDMRSを含み、第1のシーケンスのDMRSは前方部分のDMRSであり、残りのDMRSは追加DMRSであることが理解されるべきである。
【０２７６】
最初に、DMRS構成パラメータがRRCを使用することにより構成される場合について以下に説明する。
【０２７７】
追加DMRSの数量は、アップリンク追加DMRSの数量(UL_DMRS_add_num)又はアップリンクDMRSの数量(UL_DMRS_num)を使用することにより構成されてもよい。例えば、UL_DMRS_add_num=0であり、これはadditional  DMRSが存在しないことを示し、UL_DMRS_add_num=N(N>0)であり、これはN個のadditional  DMRSが存在することを示す。UL_DMRS_num=1であり、これはadditional  DMRSが存在しないことを示し、UL_DMRS_num=N(N>1)であり、これはN-1個のadditional  DMRSが存在することを示す。任意選択で、この出願のこの実施形態では、additional  DMRSの数量は、代替として、DMRSタイプを使用することにより間接的に実現されてもよく、例えば、インデックス番号を与えることによりDMRSのタイプにインデックス付けされてもよく、DMRSのタイプは、additional  DMRSが存在するか否かと、何個のadditional  DMRSが存在するかとを暗示する。言い換えると、この出願のこの実施形態では、インデックス番号とDMRS番号との間の対応関係が確立されてもよく、1つのインデックス番号は1つのDMRS番号に対応する。実際の適用の中で、1つのインデックス番号は、インデックス番号に対応するDMRS番号を示すために使用されてもよい。
【０２７８】
この出願のこの実施形態では、DMRSパターンにおけるDMRSの総数は、追加DMRSの数量に1を加えた数量に等しいことが理解されるべきである。
【０２７９】
この出願のこの実施形態では、DMRSの数量が構成された後に、端末デバイスは、予め設定されたルールに基づいて各DMRSの位置を決定してもよいことが理解されるべきである。任意選択で、この出願のこの実施形態では、各DMRSの位置は、構成された追加DMRS位置パラメータに基づいて更に決定されてもよく、この出願のこの実施形態はそのことに限定されない。
【０２８０】
任意選択で、この出願のこの実施形態では、追加DMRSにより占有されるシンボルの数量は、第1のDMRSにより占有されるシンボルの数量に等しくてもよく、この出願のこの実施形態はそのことに限定されない。
【０２８１】
追加DMRS位置は、アップリンク追加DMRS位置(UL_DMRS_add_pos)又はアップリンクDMRS位置(UL_DMRS_pos)を使用することにより構成されてもよい。例えば、UL_DMRS_add_pos={Null}又はUL_DMRS_add_pos={0}であり、additional  DMRSが存在しないことを示し、UL_DMRS_add_pos={N1、N1+N2又はN1+N2+N3}(N1>0、N2>0及びN3>0)であり、additional  DMRSが存在することを示し、非ゼロパラメータの数量は、additional  DMRSの数量を示す。例えば、UL_DMRS_add_pos={N1、N1+N2又はN1+N2+N3}は、それぞれ1つ、2つ又は3つのadditional  DMRSが存在することを示す。N1=3であり、第1のadditional  DMRSと第1のDMRSとが3つのシンボルで隔てられていることを示すか、或いは第1の追加DMRSが第3シンボルを占有することを示す。例えば、第1の追加DMRSが2つのシンボルを占有し、N1=3であるとき、第1の追加DMRSは第3シンボル及び第4シンボルを占有する。
【０２８２】
UL_DMRS_pos={N1}(例えば、N1=2又は3)である。具体的には、1つのパラメータのみが存在し、additional  DMRSが存在しないことを示す。UL_DMRS_pos={N1+N2、N1+N2+N3又はN1+N2+N3+N4}であり、additional  DMRSが存在することを示し、UL_DMRS_posの値における非ゼロのパラメータの数量から1を減算したものは、additional  DMRSの数量を示す。
【０２８３】
additional  DMRS指示情報は、アップリンク追加DMRS位置(UL_DMRS_add_pos)又はアップリンク追加DMRS指示(UL_DMRS_add_indication)を使用することにより構成されてもよい。
【０２８４】
具体的には、表１に示すように、この出願のこの実施形態では、指示情報、すなわち、UL_DMRS_add_pos/UL_DMRS_add_indicationとDMRS位置との間に1対1の対応関係が設定されてもよい。この出願のこの実施形態では、具体的な値は、指示情報を使用することにより示されてもよい。例えば、表１に示すように、指示情報の値は、1つの値に対応するDMRS位置を示すための、0からpまでの1つの値である。例えば、指示情報の値が0であるとき、対応するDMRS位置はN0であり、追加DMRSが存在せず、前方部分パターンにおけるDMRSは、第N0シンボルを占有することを示し((No  add  DMRS,  FL  at  N0))、指示情報の値が3であるとき、対応するDMRS位置はN0+N3であり、1つの追加DMRSが存在し、第(N0+N3)シンボルを占有することを示す(1  add  DMRS  at  N0+N3)。第(N0+N3)シンボルは、追加DMRSにより占有される少なくとも1つの連続シンボルのうち第1シンボルを示すことが理解されるべきである。指示情報の値がpであるとき、対応するDMRS位置は、N0+N1、N0+N2及びN0+N3であり、3つの追加DMRSが存在し、それぞれ第(N0+N1)シンボル、第(N0+N2)シンボル及び第(N0+N3)シンボルを占有することを示す。
【０２８５】
この出願のこの実施形態では、異なる数量の追加DMRSは異なる表に対応してもよく、表の内容は表１の内容と同様であることが理解されるべきである。詳細はここでは再び説明しない。このように、対応する表は、追加DMRSの数量に基づいて決定されてもよく、表は、指示情報の値とDMRS位置との間の対応関係を含む。したがって、DMRS位置は、具体的な指示情報の値を使用することにより示されてもよい。
【表１】
0006910465.tif 000002
【０２８６】
この出願のこの実施形態では、additional  DMRS構成がRRCを使用することにより完了した後に、これは、additional  DMRSが必ずしもトリガー又は活性化されることを意味しないことが理解されるべきである。構成がRRCを使用することにより完了した後に、additional  DMRSは、以下の3つの形式でトリガーされてもよい。
【０２８７】
トリガーがデータを使用することにより実行される第1の形式:additional  DMRS構成がRRCを使用することにより完了した後に、データが送信されるという条件で、additional  DMRSが存在してもよい。具体的には、データは追加パターンに基づいて送信される。
【０２８８】
活性化がMAC  CEを使用することにより実行され、トリガーがデータを使用することにより実行される第2の形式:additional  DMRS構成がRRCを使用することにより完了した後に、活性化がMAC  CEを使用することにより実行される場合(例えば、UL_DMRS_add_active=1)、additional  DMRSは、データが送信されるときにのみ存在し、或いは非活性化がMAC  CEを使用することにより実行される場合(例えば、UL_DMRS_add_active=0)、additional  DMRSは存在しない。
【０２８９】
トリガーがDCIを使用することにより実行される第3の形式:additional  DMRS構成がRRCを使用することにより完了した後に、トリガーがDCIを使用することにより実行される場合(例えば、UL_DMRS_add_flag=1)、additional  DMRSは、データが送信されるときに存在し、或いはトリガーがDCIを使用することにより実行されない場合(例えば、UL_DMRS_add_flag=0)、additional  DMRSは、データが送信されるときに存在しない。
【０２９０】
上記は、RRCを使用することにより追加DMRSを構成する方式を記載しており、同様に、この出願のこの実施形態では、追加DMRSは、代替としてMAC  CEを使用することにより構成されてもよい。
【０２９１】
RRCを使用することにより実行される構成と同様に、additional  DMRSは、代替として、MAC  CEを使用することにより構成されてもよく、構成は、MAC  CEを使用することにより、additional  DMRSの数量、additional  DMRSの位置又はadditional  DMRSの指示情報を構成することにより完了してもよい。具体的な構成のシグナリング形式及びシグナリング機能については、RRCを使用することにより実行される構成における対応するシグナリングを参照する。繰り返しを避けるために、詳細はここでは再び説明しない。
【０２９２】
この出願のこの実施形態では、additional  DMRS構成がMAC  CEを使用することにより完了した後に、これは、additional  DMRSが必ずしもトリガー又は活性化されることを意味しないことが理解されるべきである。構成がRRCを使用することにより完了した後に、additional  DMRSは、以下の2つの形式でトリガーされてもよい。
【０２９３】
トリガーがデータを使用することにより実行される第1の形式:additional  DMRS構成がMAC  CEを使用することにより完了した後に、データが送信されるという条件で、additional  DMRSが存在する。
【０２９４】
トリガーがDCIを使用することにより実行される第2の形式:additional  DMRS構成がMAC  CEを使用することにより完了した後に、トリガーがDCIを使用することにより実行される場合(例えば、UL_DMRS_add_flag=1)、additional  DMRSは、データが送信されるときに存在し、或いはトリガーがDCIを使用することにより実行されない場合(例えば、UL_DMRS_add_flag=0)、additional  DMRSは、データが送信されるときに存在しない。
【０２９５】
上記は、RRC及びMAC  CEを使用することにより追加DMRSを構成する方式を記載しており、同様に、この出願のこの実施形態では、追加DMRSは、代替としてDCIを使用することにより構成されてもよい。
【０２９６】
RRC又はMAC  CEを使用することにより実行される構成と同様に、additional  DMRSは、DCIを使用することにより構成されてもよく、構成は、additional  DMRSの数量、additional  DMRSの位置又はadditional  DMRSの指示情報を構成することにより完了してもよい。具体的な構成のシグナリング形式及びシグナリング機能については、RRCを使用することにより実行される構成における対応するシグナリングを参照する。繰り返しを避けるために、詳細はここでは再び説明しない。
【０２９７】
additional  DMRSがDCIを使用することにより構成される場合、additional  DMRSがトリガーされる。
【０２９８】
ここでは、追加DMRS構成において、対応するパラメータは、シグナリングを使用することにより構成されてもよいことが理解されるべきである。任意選択で、この出願のこの実施形態では、様々なシグナリング値とインデックスとの間の1対1の対応関係(表)が、代替として確立されてもよい。DMRS構成が実行されるとき、当該構成は、RRC、MAC  CE又はDCIを使用することにより、対応するインデックス番号を直接的に構成することにより実現されてもよい。
【０２９９】
上記は、この出願のこの実施形態における構成パラメータ構成方式及び構成パラメータ構成方式の構成パラメータの具体的な意味を記載している。以下に、異なる状況に基づいて、どのようにアップリンク送信中の周波数ホッピングモードにおけるDMRSパターンを決定するか、すなわち、この出願のこの実施形態における上記の構成パラメータに基づいて、図２０における具体的なタイプに対応するパターンである周波数ホッピングモードにおけるパターンを決定するかについての解決策について説明する。
【０３００】
具体的には、通信デバイスは、追加DMRSの指示情報を使用することにより、周波数ホッピングモードに対応するDMRSパターンを決定し、追加DMRSは、前方部分のDMRSの後に位置するDMRSを示し、指示情報は、以下のもの、すなわち、追加DMRSが存在するか否か、追加DMRSの数量及び追加DMRSの位置のうち少なくとも1つを示すために使用され、周波数ホッピングモードは、1つのリソーススケジューリングユニット内のいくつかのシンボルが第1の周波数帯域に位置し、いくつかの他のシンボルが第2の周波数帯域に位置することを示す。
【０３０１】
通信デバイスは、DMRSパターンを使用することにより、DMRSマッピング又はデマッピングを実行する。
【０３０２】
任意選択で、実施形態では、追加DMRSが存在しないことを示すために指示情報が使用されるとき、DMRSパターンにおけるDMRSは、第1の周波数帯域内の1つのシーケンスのシンボル及び第2の周波数帯域内の1つのシーケンスのシンボルを占有し、1つのシーケンスのシンボルは、少なくとも1つの連続シンボルを含む。
【０３０３】
任意選択で、実施形態では、第1の周波数帯域内の1つのシーケンスのシンボルは、第1の周波数帯域内の第1の領域内の第1シンボルを含み、第1の領域は、データ及びDMRSにより占有されるシンボルを含む。
【０３０４】
任意選択で、実施形態では、第2の周波数帯域内の1つのシーケンスのシンボルは、第2の周波数帯域内の第1シンボルを含む。
【０３０５】
任意選択で、実施形態では、追加DMRSが存在することを示すために指示情報が使用されるとき、DMRSパターンにおけるDMRSにより占有される第1の周波数帯域内のシンボルのシーケンスの数量及び位置と、DMRSパターンにおけるDMRSにより占有される第2の周波数帯域内のシンボルのシーケンスの数量及び位置とは、周波数ホッピングなしで、指示情報により示されるシーケンスの数量及び位置と同じである。
【０３０６】
任意選択で、実施形態では、追加DMRSが存在することを示すために指示情報が使用されるとき、
DMRSパターンにおけるDMRSは、第1の周波数帯域内の2つの不連続なシーケンスのシンボルと、第2の周波数帯域内の2つの不連続なシーケンスのシンボルとを占有するか、
DMRSパターンにおけるDMRSは、第1の周波数帯域内の2つの不連続なシーケンスのシンボルと、第2の周波数帯域内の1つのシーケンスのシンボルとを占有するか、或いは
DMRSパターンにおけるDMRSは、第1の周波数帯域内の1つのシーケンスのシンボルと、第2の周波数帯域内の2つの不連続なシーケンスのシンボルとを占有し、
2つのシーケンスのシンボルのそれぞれは、少なくとも1つの連続シンボルを含み、1つのシーケンスのシンボルは、少なくとも1つの連続シンボルを含む。
【０３０７】
任意選択で、実施形態では、DMRSパターンにおけるDMRSが第1の周波数帯域内の2つの不連続なシーケンスのシンボルを占有するとき、第1の周波数帯域内の2つのシーケンスのシンボルのうち後者のシーケンスのシンボルは、第1の周波数帯域内の最後のシンボルを含むか、或いは
DMRSパターンにおけるDMRSが第2の周波数帯域内の2つの不連続なシーケンスのシンボルを占有するとき、第2の周波数帯域内の2つのシーケンスのシンボルのうち前者のシーケンスのシンボルは、第2の周波数帯域内の第1シンボルを含む。
【０３０８】
この出願の実施形態において追加DMRS構成パラメータ(すなわち、追加DMRSの指示情報)に基づいて周波数ホッピングパターンを決定する具体的な例について、異なる状況に基づいて、具体的な例を参照して以下に説明する。
【０３０９】
状況1:
【０３１０】
同じセットのパラメータが周波数ホッピングなし及び周波数ホッピングありで使用される。言い換えると、新たなadditional  DMRS構成パラメータは必要ない。周波数ホッピングモードにおいて、周波数ホッピングなしでのadditional  DMRS構成パラメータの値にかかわらず、周波数ホッピング後の各パターンはタイプ1である。
【０３１１】
具体的には、この出願のこの実施形態では、周波数ホッピングモードは、RRC、DCI及びMAC  CEのうち1つ以上のようなシグナリングを使用することによりトリガーされてもよく、周波数ホッピングモードをトリガーするための上記のシグナリングを取得した後に、端末デバイスは、タイプ1に基づいてDMRS及びデータを送信してもよい。
【０３１２】
任意選択で、DCIを使用することにより周波数ホッピングモードをトリガーする例を使用して、シグナリングの数量がフォーマット0であり(format  0)、リソース割り当てタイプが0であり(Resource  allocation  type=0)、周波数ホッピングフラグが1であるとき(Frequency  hopping  flag=1)、タイプ1が対応するパターンに使用される。
【０３１３】
この場合、additional  DMRS構成パラメータは、周波数ホッピングなしでのみ動作することが理解されるべきである。具体的には、周波数ホッピングモードは活性化されない。具体的には、additional  DMRS構成パラメータは、シグナリングの数量がフォーマット0であるか(format  0)、リソース割り当てタイプが0でないか(Resource  allocation  type≠0)、リソース割り当てタイプパラメータが存在しないか(no  Resource  allocation  type)、或いは周波数ホッピングフラグが0である(Frequency  hopping  flag=0)ときにのみ動作する。
【０３１４】
状況2:
【０３１５】
周波数ホッピングなし及び周波数ホッピングは、それぞれのadditional  DMRS構成パラメータに対応する。言い換えると、周波数ホッピングモードにおいて、独立したセットのadditional  DMRS構成パラメータが必要である。
【０３１６】
言い換えると、この場合、或るセットのadditional  DMRS構成パラメータ(第1のセットの構成パラメータと呼ばれてもよい)は、周波数ホッピングなしで使用され、他のセットのadditional  DMRS構成パラメータ(第2のセットの構成パラメータと呼ばれてもよい)は、周波数ホッピングありで使用される。
【０３１７】
各セットの構成パラメータのタイプ及び機能について、上記の説明に参照が行われてもよいことが理解されるべきである。繰り返しを避けるために、詳細はここでは再び説明しない。
【０３１８】
具体的には、この出願のこの実施形態では、周波数ホッピングモードは、RRC、DCI及びMAC  CEのうち1つ以上のようなシグナリングを使用することによりトリガーされてもよく、周波数ホッピングモードをトリガーするための上記のシグナリングを取得した後に、端末デバイスは、第2のセットの構成パラメータに基づいてデータを送信してもよい。
【０３１９】
任意選択で、DCIを使用することにより周波数ホッピングモードをトリガーする例を使用して、シグナリングの数量がフォーマット0であり(format  0)、リソース割り当てタイプが0であり(Resource  allocation  type=0)、周波数ホッピングフラグが1であるとき(Frequency  hopping  flag=1)、第2のセットの構成パラメータが対応して使用される。
【０３２０】
第1のセットの構成パラメータは、周波数ホッピングなしでのみ動作することが理解されるべきである。具体的には、周波数ホッピングモードは活性化されない。具体的には、第1のセットの構成パラメータは、シグナリングの数量がフォーマット0であるか(format  0)、リソース割り当てタイプが0でないか(Resource  allocation  type≠0)、リソース割り当てタイプパラメータが存在しないか(no  Resource  allocation  type)、或いは周波数ホッピングフラグが0である(Frequency  hopping  flag=0)ときにのみ動作する。
【０３２１】
状況2では、第2のセットの構成パラメータは、周波数ホッピングモードに対応するパターンが2つのパターンタイプのうち1つであること、具体的には、周波数ホッピングモードに対応するパターンタイプがタイプ1又はタイプ2のうち1つであることのみを示してもよいことが理解されるべきである。
【０３２２】
以下の異なる状況に基づく例を使用することにより、説明が行われる。状況2-1〜状況2-3では、フレーム構造が要件を満たすことができないとき、具体的には、周波数ホッピング中の1つの周波数帯域内の2つのDMRSの間のシンボル間隔が間隔要件を満たさないとき、パターンタイプの均一性を確保するために周波数ホッピングが実行されない。状況2-4〜状況2-6では、フレーム構造が要件を満たすことができないとき、具体的には、周波数ホッピング中の1つの周波数帯域内の2つのDMRSの間のシンボル間隔が間隔要件を満たさないとき、バックオフが実行され、周波数帯域内のDMRSの数量が1に低減され、それにより、周波数ホッピングの実行可能性を確保する。
【０３２３】
状況2-1
【０３２４】
第2のセットの構成パラメータ(例えば、UL_DMRS_add_type_hopping=0)が、周波数ホッピングモードに対応するパターンがタイプ1であることを示す場合、端末デバイスは、周波数ホッピング中にタイプ1に対応するパターンに基づいてDMRS及びデータを送信する。
【０３２５】
代替として、第2のセットの構成パラメータ(例えば、UL_DMRS_add_type_hopping=1)が、周波数ホッピングモードに対応するパターンがタイプ2-Iであることを示す場合、端末デバイスは、周波数ホッピング中にタイプ2-Iに対応するパターンに基づいてDMRS及びデータを送信する。2つの周波数帯域のうちいずれか1つにおける2つのDMRSの間のシンボル間隔が間隔要件を満たさない場合、フレーム構造について周波数ホッピングは実行されない。間隔要件は、2つのDMRSの間の間隔データが予め設定された間隔閾値Nj以上であるか否かを示し、Njの値は1、2、3等でもよく、この出願のこの実施形態はそのことに限定されない。
【０３２６】
状況2-2
【０３２７】
第2のセットの構成パラメータ(例えば、UL_DMRS_add_type_hopping=0)が、周波数ホッピングモードに対応するパターンがタイプ1であることを示す場合、端末デバイスは、周波数ホッピング中にタイプ1に対応するパターンに基づいてDMRS及びデータを送信する。
【０３２８】
代替として、第2のセットの構成パラメータ(例えば、UL_DMRS_add_type_hopping=1)が、周波数ホッピングモードに対応するパターンがタイプ2-IIであることを示す場合、端末デバイスは、周波数ホッピング中にタイプ2-IIに対応するパターンに基づいてDMRS及びデータを送信する。2つの周波数帯域のうち第1の周波数帯域内の2つのDMRSの間のシンボル間隔が間隔要件を満たさない場合、フレーム構造について周波数ホッピングは実行されない。間隔要件は、2つのDMRSの間の間隔データが予め設定された間隔閾値Nj以上であるか否かを示し、Njの値は1、2、3等でもよく、この出願のこの実施形態はそのことに限定されない。
【０３２９】
状況2-3
【０３３０】
第2のセットの構成パラメータ(例えば、UL_DMRS_add_type_hopping=0)が、周波数ホッピングモードに対応するパターンがタイプ1であることを示す場合、端末デバイスは、周波数ホッピング中にタイプ1に対応するパターンに基づいてDMRS及びデータを送信する。
【０３３１】
代替として、第2のセットの構成パラメータ(例えば、UL_DMRS_add_type_hopping=1)が、周波数ホッピングモードに対応するパターンがタイプ2-IIIであることを示す場合、端末デバイスは、周波数ホッピング中にタイプ2-IIIに対応するパターンに基づいてDMRS及びデータを送信する。2つの周波数帯域のうち第2の周波数帯域内の2つのDMRSの間のシンボル間隔が間隔要件を満たさない場合、フレーム構造について周波数ホッピングは実行されない。間隔要件は、2つのDMRSの間の間隔データが予め設定された間隔閾値Nj以上であるか否かを示し、Njの値は1、2、3等でもよく、この出願のこの実施形態はそのことに限定されない。
【０３３２】
上記の状況2-1〜2-3では、ネットワークデバイス及び端末デバイスが2つのパターンタイプ(すなわち、タイプ1及び3つの種類のタイプ2のうち1つ)を予め記憶しており、UL_DMRS_add_type_hopping=0であるときにはパターンタイプ1が対応して使用され、或いはUL_DMRS_add_type_hopping=1であるときには2つの予め記憶されたパターンタイプのうち他のパターンが対応して使用され、すなわち、3つの種類のタイプ2のうち1つに対応するパターンが対応して使用されることを仮定することが理解されるべきである。任意選択で、ネットワークデバイス及び端末デバイスは、上記の4つの種類のパターンタイプのうち3つ又は4つを予め記憶してもよい。ネットワークデバイス及び端末デバイスが、上記の4つの種類のパターンタイプのうち4つを予め記憶する例を使用して、UL_DMRS_add_type_hopping=0であるときにはパターンタイプ1が対応して使用され、UL_DMRS_add_type_hopping=1であるときにはパターンタイプ2-Iが対応して使用され、UL_DMRS_add_type_hoppping=2であるときにはパターンタイプ2-IIが対応して使用され、UL_DMRS_add_type_hoppping=3であるときにはパターンタイプ2-IIIが対応して使用される。
【０３３３】
状況2-4
【０３３４】
第2のセットの構成パラメータ(例えば、UL_DMRS_add_type_hopping=0)が、周波数ホッピングモードに対応するパターンがタイプ1であることを示す場合、端末デバイスは、周波数ホッピング中にタイプ1に対応するパターンに基づいてDMRS及びデータを送信する。
【０３３５】
代替として、第2のセットの構成パラメータ(例えば、UL_DMRS_add_type_hopping=1)が、周波数ホッピングモードに対応するパターンがタイプ2-Iであることを示し、2つの周波数帯域のそれぞれがDMRS間隔要件を満たす場合、端末デバイスは、周波数ホッピング中にタイプ2-Iに対応するパターンに基づいてDMRS及びデータを送信する。
【０３３６】
代替として、第2のセットの構成パラメータ(例えば、UL_DMRS_add_type_hopping=1)が、周波数ホッピングモードに対応するパターンがタイプ2-Iであることを示し、前者の周波数帯域がDMRS間隔要件を満たし、後者の周波数帯域がDMRS間隔要件を満たさない場合、端末デバイスは、周波数ホッピング中にタイプ2-IIに対応するパターンに基づいてDMRS及びデータを送信する。
【０３３７】
代替として、第2のセットの構成パラメータ(例えば、UL_DMRS_add_type_hopping=1)が、周波数ホッピングモードに対応するパターンがタイプ2-Iであることを示し、前者の周波数帯域がDMRS間隔要件を満たさず、後者の周波数帯域がDMRS間隔要件を満たす場合、端末デバイスは、周波数ホッピング中にタイプ2-IIIに対応するパターンに基づいてDMRS及びデータを送信する。
【０３３８】
状況2-5
【０３３９】
第2のセットの構成パラメータ(例えば、UL_DMRS_add_type_hopping=0)が、周波数ホッピングモードに対応するパターンがタイプ1であることを示す場合、端末デバイスは、周波数ホッピング中にタイプ1に対応するパターンに基づいてDMRS及びデータを送信する。
【０３４０】
代替として、第2のセットの構成パラメータ(例えば、UL_DMRS_add_type_hopping=1)が、周波数ホッピングモードに対応するパターンがタイプ2-IIであることを示し、前者の周波数帯域がDMRS間隔要件を満たす場合、端末デバイスは、周波数ホッピング中にタイプ2-IIに対応するパターンに基づいてDMRS及びデータを送信する。
【０３４１】
代替として、第2のセットの構成パラメータ(例えば、UL_DMRS_add_type_hopping=1)が、周波数ホッピングモードに対応するパターンがタイプ2-IIであることを示し、前者の周波数帯域がDMRS間隔要件を満たさない場合、端末デバイスは、周波数ホッピング中にタイプ1に対応するパターンに基づいてDMRS及びデータを送信する。
【０３４２】
状況2-6
【０３４３】
第2のセットの構成パラメータ(例えば、UL_DMRS_add_type_hopping=0)が、周波数ホッピングモードに対応するパターンがタイプ1であることを示す場合、端末デバイスは、周波数ホッピング中にタイプ1に対応するパターンに基づいてDMRS及びデータを送信する。
【０３４４】
代替として、第2のセットの構成パラメータ(例えば、UL_DMRS_add_type_hopping=1)が、周波数ホッピングモードに対応するパターンがタイプ2-IIIであることを示し、後者の周波数帯域がDMRS間隔要件を満たす場合、端末デバイスは、周波数ホッピング中にタイプ2-IIIに対応するパターンに基づいてDMRS及びデータを送信する。
【０３４５】
代替として、第2のセットの構成パラメータ(例えば、UL_DMRS_add_type_hopping=1)が、周波数ホッピングモードに対応するパターンがタイプ2-IIであることを示し、後者の周波数帯域がDMRS間隔要件を満たさない場合、端末デバイスは、周波数ホッピング中にタイプ1に対応するパターンに基づいてDMRS及びデータを送信する。
【０３４６】
状況3:
【０３４７】
周波数ホッピングモードにおいて、周波数ホッピングなしのadditional  DMRS構成パラメータが多重され、当該パラメータは同じ意味を有する。
【０３４８】
具体的には、additional  DMRSがadditional  DMRS構成パラメータにおいて構成されているとき、具体的には、2つのシーケンスのDMRSが含まれるとき、周波数ホッピングは、端末デバイスがデータを送信するときにのみ実行されてもよく、周波数ホッピング後のDMRSの位置は、周波数ホッピングなしのadditional  DMRS構成パラメータにおいて構成されたDMRSの位置と同じである。
【０３４９】
任意選択で、DCIを使用することにより周波数ホッピングモードをトリガーする例を使用して、シグナリングの数量がフォーマット0であり(format  0)、リソース割り当てタイプが0であり(Resource  allocation  type=0)、周波数ホッピングフラグが1であるとき(Frequency  hopping  flag=1)、且つadditional  DMRSが構成されているとき、すなわち、少なくとも2つのDMRSを含むことに基づいて、例えば、UL_DMRS_add_num=N(N>0)又はUL_DMRS_add_pos={N1、N1+N2又はN1+N2+N3}(N1>0、N2>0且つN3>0)であるとき、端末デバイスは、アップリンクデータを送信するときに周波数ホッピングモードを使用する。
【０３５０】
具体的には、周波数ホッピングモードに対応するDMRSパターンは、additional  DMRS構成パラメータに依存する。具体的には、周波数ホッピングモードに対応するDMRSパターンにおけるDMRSの数量及び位置は、周波数ホッピングなしでadditional  DMRS構成パラメータにおいて構成されたDMRSの数量及び位置と同じである。
【０３５１】
任意選択で、状況3では、additional  DMRSがadditional  DMRS構成パラメータにおいて構成されていないとき、周波数ホッピングなしのadditional  DMRS構成パラメータは、この出願のこの実施形態では多重されてもよい。例えば、additional  DMRS構成パラメータの値は、additional  DMRSを構成するように変更され、次いで、周波数ホッピングが、変更されたadditional  DMRS構成パラメータに基づいて実行される。具体的には、周波数ホッピングモードに対応するDMRSパターンは、変更されたadditional  DMRS構成パラメータに依存する。具体的には、周波数ホッピングモードに対応するDMRSパターンにおけるDMRSの数量及び位置は、周波数ホッピングなしの変更されたadditional  DMRS構成パラメータにおいて構成されたDMRSの数量及び位置と同じである。
【０３５２】
具体的には、2つのDMRSが含まれるとき、周波数ホッピングは、端末デバイスがデータを送信するときにのみ実行されてもよく、周波数ホッピング後のDMRSの位置は、周波数ホッピングなしのadditional  DMRS構成パラメータにおいて構成されたDMRSの位置と同じである。
【０３５３】
状況4:
【０３５４】
周波数ホッピングモードにおいて、周波数ホッピングなしのadditional  DMRS構成パラメータが多重されるが、当該パラメータは異なる意味を有する。
【０３５５】
具体的には、DCIを使用することにより周波数ホッピングモードをトリガーする例を使用して、シグナリングの数量がフォーマット0であり(format  0)、リソース割り当てタイプが0であり(Resource  allocation  type=0)、周波数ホッピングフラグが1であるとき(Frequency  hopping  flag=1)、additional  DMRSがadditional  DMRS構成パラメータにおいて構成されている場合、具体的には、2つのDMRSが含まれる場合、タイプ2-I、タイプ2-II又はタイプ2-IIIのようなタイプ2が周波数ホッピングモードにおいて使用される。additional  DMRSがadditional  DMRS構成パラメータにおいて構成されていない場合、具体的には、1つのDMRSが含まれる場合、タイプ1が周波数ホッピングモードにおいて使用される。
【０３５６】
状況4では、additional  DMRSがadditional  DMRS構成パラメータにおいて構成されている場合、具体的には、2つのDMRSが含まれる場合、タイプ2-I、タイプ2-II及びタイプ2-IIIのうち1つが周波数ホッピングモードにおいて使用されることが理解されるべきである。
【０３５７】
以下の異なる状況に基づく例を使用することにより、説明が行われる。状況4-1〜状況4-3では、フレーム構造が要件を満たすことができないとき、具体的には、周波数ホッピング中の1つの周波数帯域内の2つのDMRSの間のシンボル間隔が間隔要件を満たさないとき、パターンタイプの均一性を確保するために周波数ホッピングが実行されない。状況4-4〜状況4-6では、フレーム構造が要件を満たすことができないとき、具体的には、周波数ホッピング中の1つの周波数帯域内の2つのDMRSの間のシンボル間隔が間隔要件を満たさないとき、周波数帯域内のDMRSの数量が1に低減され、それにより、周波数ホッピングの実行可能性を確保する。
【０３５８】
状況4-1
【０３５９】
additional  DMRSがadditional  DMRS構成パラメータにおいて構成されていないとき、具体的には、1つのDMRSが含まれるとき、対応するパターンは、周波数ホッピング後にタイプ1である。
【０３６０】
代替として、additional  DMRSがadditional  DMRS構成パラメータにおいて構成されているとき、具体的には、少なくとも2つのDMRSが含まれるとき、対応するパターンは、周波数ホッピング後にタイプ2-Iである。2つの周波数帯域のうちいずれか1つにおける2つのDMRSの間のシンボル間隔が間隔要件を満たさない場合、フレーム構造について周波数ホッピングは実行されない。間隔要件は、2つのDMRSの間の間隔データが予め設定された間隔閾値Nj以上であるか否かを示し、Njの値は1、2、3等でもよく、この出願のこの実施形態はそのことに限定されない。
【０３６１】
状況4-2
【０３６２】
additional  DMRSがadditional  DMRS構成パラメータにおいて構成されていないとき、具体的には、1つのDMRSが含まれるとき、対応するパターンは、周波数ホッピング後にタイプ1である。
【０３６３】
代替として、additional  DMRSがadditional  DMRS構成パラメータにおいて構成されているとき、具体的には、少なくとも2つのDMRSが含まれるとき、対応するパターンは、周波数ホッピング後にタイプ2-IIである。2つの周波数帯域のうち前者のものにおける2つのDMRSの間のシンボル間隔が間隔要件を満たさない場合、フレーム構造について周波数ホッピングは実行されない。
【０３６４】
状況4-3
【０３６５】
additional  DMRSがadditional  DMRS構成パラメータにおいて構成されていないとき、具体的には、1つのDMRSが含まれるとき、対応するパターンは、周波数ホッピング後にタイプ1である。
【０３６６】
代替として、additional  DMRSがadditional  DMRS構成パラメータにおいて構成されているとき、具体的には、少なくとも2つのDMRSが含まれるとき、対応するパターンは、周波数ホッピング後にタイプ2-IIIである。2つの周波数帯域のうち第2の周波数帯域内の2つのDMRSの間のシンボル間隔が間隔要件を満たさない場合、フレーム構造について周波数ホッピングは実行されない。
【０３６７】
状況4-4
【０３６８】
additional  DMRSがadditional  DMRS構成パラメータにおいて構成されていないとき、具体的には、1つのDMRSが含まれるとき、対応するパターンは、周波数ホッピング後にタイプ1である。
【０３６９】
代替として、additional  DMRSがadditional  DMRS構成パラメータにおいて構成されているとき、具体的には、少なくとも2つのDMRSが含まれ、2つの周波数帯域のそれぞれがDMRS間隔要件を満たすとき、端末デバイスは、周波数ホッピング中にタイプ2-Iに対応するパターンに基づいてDMRS及びデータを送信する。
【０３７０】
代替として、additional  DMRSがadditional  DMRS構成パラメータにおいて構成されているとき、具体的には、少なくとも2つのDMRSが含まれ、前者の周波数帯域がDMRS間隔要件を満たし、後者の周波数帯域がDMRS間隔要件を満たさないとき、端末デバイスは、周波数ホッピング中にタイプ2-IIに対応するパターンに基づいてDMRS及びデータを送信する。
【０３７１】
代替として、additional  DMRSがadditional  DMRS構成パラメータにおいて構成されているとき、具体的には、少なくとも2つのDMRSが含まれ、前者の周波数帯域がDMRS間隔要件を満たさず、後者の周波数帯域がDMRS間隔要件を満たすとき、端末デバイスは、周波数ホッピング中にタイプ2-IIIに対応するパターンに基づいてDMRS及びデータを送信する。
【０３７２】
状況4-5
【０３７３】
additional  DMRSがadditional  DMRS構成パラメータにおいて構成されていないとき、具体的には、1つのDMRSが含まれるとき、対応するパターンは、周波数ホッピング後にタイプ1である。
【０３７４】
代替として、additional  DMRSがadditional  DMRS構成パラメータにおいて構成されているとき、具体的には、少なくとも2つのDMRSが含まれ、前者の周波数帯域がDMRS間隔要件を満たすとき、端末デバイスは、周波数ホッピング中にタイプ2-IIに対応するパターンに基づいてDMRS及びデータを送信する。
【０３７５】
代替として、additional  DMRSがadditional  DMRS構成パラメータにおいて構成されているとき、具体的には、少なくとも2つのDMRSが含まれ、前者の周波数帯域がDMRS間隔要件を満たさないとき、端末デバイスは、周波数ホッピング中にタイプ1に対応するパターンに基づいてDMRS及びデータを送信する。
【０３７６】
状況4-6
【０３７７】
additional  DMRSがadditional  DMRS構成パラメータにおいて構成されていないとき、具体的には、1つのDMRSが含まれるとき、対応するパターンは、周波数ホッピング後にタイプ1である。
【０３７８】
代替として、additional  DMRSがadditional  DMRS構成パラメータにおいて構成されているとき、具体的には、少なくとも2つのDMRSが含まれ、後者の周波数帯域がDMRS間隔要件を満たすとき、端末デバイスは、周波数ホッピング中にタイプ2-IIIに対応するパターンに基づいてDMRS及びデータを送信する。
【０３７９】
代替として、additional  DMRSがadditional  DMRS構成パラメータにおいて構成されているとき、具体的には、少なくとも2つのDMRSが含まれ、後者の周波数帯域がDMRS間隔要件を満たさないとき、端末デバイスは、周波数ホッピング中にタイプ1に対応するパターンに基づいてDMRS及びデータを送信する。
【０３８０】
任意選択で、状況4において、additional  DMRSがadditional  DMRS構成パラメータにおいて構成されていない場合、周波数ホッピングは、タイプ1に対応するパターンに基づいて実行される。
【０３８１】
additional  DMRSがadditional  DMRS構成パラメータにおいて構成されている場合、DMRSパターンは、構成パラメータに基づいて決定される。具体的には、周波数ホッピングモードに対応するDMRSパターンは、additional  DMRS構成パラメータに依存する。具体的には、周波数ホッピングモードに対応するDMRSパターンにおけるDMRSの数量及び位置は、周波数ホッピングなしでadditional  DMRS構成パラメータにおいて構成されたDMRSの数量及び位置と同じである。
【０３８２】
上記の状況1〜状況4では、上記の4つの種類のタイプのうち1つが使用されると決定された後に、上記のタイプに対応する複数のパターンのうちいずれか1つが使用されてもよいことが理解されるべきである。これは、この出願のこの実施形態では限定されない。タイプに対応するパターンについては、上記の説明を参照する。詳細はここでは再び説明しない。
【０３８３】
以下に、マルチユーザMUがシングルキャリアDFT-S-OFDM波形デバイス及びマルチキャリアCP-OFDMデバイスを使用することによりサービス提供されるときの2つの波形デバイスに対応するDMRSの間の多重関係について説明する。
【０３８４】
周波数分割多重(Frequency  division  multiplexing,  FDM)又は時分割多重(Time  division  multiplexing,  TDM)方式は、CP-OFDM及びDFT-S-OFDMに対応するDMRSの間で使用されてもよく、TDMが図３６に示されており、FDMが図３７に示されている。具体的には、NRでは、いくつかのシナリオにおいて、FDMを通じた2つの波形の多重がサポートされ、いくつかのシナリオにおいて、TDMを通じた2つの波形の多重がサポートされる。
【０３８５】
図３６の(1)及び(2)では、CP-OFDMとDFT-S-OFDMとの間で独立した番号付与が実行され、シングルキャリア波形はポート1〜12を使用し、マルチキャリア波形はポート13〜16を使用する。
【０３８６】
図３６の(3)では、CP-OFDMとDFT-S-OFDMとの間で共同の番号付与が実行され、ポート1〜12が共有される。
【０３８７】
図３７の(1)及び(2)では、CP-OFDMとDFT-S-OFDMとの間で共同の番号付与が実行され、ポート1〜12が共有される。
【０３８８】
図３７の(3)では、CP-OFDMとDFT-S-OFDMとの間で独立した番号付与が実行され、マルチキャリア波形はポート1〜12を使用し、シングルキャリア波形はポート13〜16を使用する。
【０３８９】
CP-OFDM及びDFT-S-OFDMに対応するDMRSの間で周波数分割多重が使用され得るか時分割多重が使用され得るかは、以下の2つの方法を使用することにより実現されてもよい。
【０３９０】
方法1:CP-OFDMポートの数量がN以下(例えば、N=2/4/6)であるとき、FDMが2つの波形の間でDMRSに使用される。この場合、DFT-S-OFDMのDMRSが位置するシンボルの位置は、CP-OFDMの位置と同じである。CP-OFDMポートの数量がN以上であるとき、TDMが2つの波形の間でDMRSに使用される。DFT-S-OFDMのDMRSが位置するシンボルの位置は、以下の4つの形式を含んでもよい。
【０３９１】
シングルキャリア波形が位置するOFDMシンボルは、マルチキャリア波形のOFDMシンボルの後に位置し、マルチキャリア波形のOFDMシンボルに密接して隣接する(図３７の(1)に示す)。
【０３９２】
シングルキャリア波形が位置するOFDMシンボルは、マルチキャリア波形のOFDMシンボルの前に位置し、マルチキャリア波形のOFDMシンボルに密接して隣接する。
【０３９３】
シングルキャリア波形が位置するOFDMシンボルは、マルチキャリア波形のOFDMシンボルの後に位置し、N個のシンボルだけマルチキャリア波形のOFDMシンボルと隔てられている(Nは1以上である)。
【０３９４】
シングルキャリア波形が位置するOFDMシンボルは、マルチキャリア波形のOFDMシンボルの前に位置し、N個のシンボルだけマルチキャリア波形のOFDMシンボルと隔てられている(Nは1以上である)。
【０３９５】
方法2:DFT-S-OFDMのDMRSが位置するシンボルの位置は、シグナリングを使用することにより構成/指示され、DFT-S-OFDMのDMRSとCP-OFDMのDMRSとの間の多重方式が暗示される。
【０３９６】
シングルキャリアDMRSの位置は、3つの状況を含む。
【０３９７】
(1)DFT-S-OFDMのDMRSが位置するシンボルの位置は、シグナリング指示(例えば、RRC、MAC  CE又はDCI)により直接的に示され、示された位置がCP-OFDMのDMRSの位置と同じであるとき、FDMが2つの波形の間でDMRSに使用され、位置が異なるとき、TDMが2つの波形の間でDMRSに使用される。
【０３９８】
(2)DFT-S-OFDMのDMRSが位置するシンボルの位置は、シグナリング指示(例えば、RRC、MAC  CE又はDCI)により暗示される。例えば、「0」は、DFT-S-OFDMのDMRSが位置するシンボルの位置がCP-OFDMの位置と同じであり、2つの間でFDMが使用されることを示し、「1」は、DFT-S-OFDMのDMRSが位置するシンボルの位置がCP-OFDMのDMRSが位置するシンボルの位置の後に密接して隣接することを示す。
【０３９９】
(3)DFT-S-OFDMのDMRSが位置するシンボルの位置は、ポート番号により暗示される。例えば、DFT-S-OFDMのDMRSのポート番号は1〜12であり、DFT-S-OFDMのDMRSが位置するシンボルの位置が、CP-OFDMのDMRSが位置するシンボルの位置と同じでり、2つの間でFDMが使用されることを示し、DFT-S-OFDMのDMRSのポート番号は13〜16であり、DFT-S-OFDMのDMRSが位置するシンボルの位置が、CP-OFDMのDMRSが位置するシンボルの位置の後に密接して隣接することを示す。
【０４００】
以下に、現在のモードが集約モードであるときの状況1及び状況2に対応する、この出願のこの実施形態の現在のモードに対応するDMRSパターンの場合について説明する。
【０４０１】
任意選択で、実施形態では、現在のモードが集約モードであるとき、集約モードは、Y個のリソーススケジューリングユニットの集約送信に対応し、Yは2以上の整数である。上記の状況1について、この出願のこの実施形態では、図１４に示すように、現在のモードに対応するDMRSパターンにおけるDMRSは、Y個のリソーススケジューリングユニットのうち最初のY1個のリソーススケジューリングユニットのそれぞれにおいて少なくとも1つの連続シンボルを占有し、Y1は、1以上且つY未満の整数である。図１２は、Y=3且つY1=1である場合を示す。
【０４０２】
図１５は、DMRSが依然として集約モードにおいて図５に示す予め設定されたパターンにおける位置に基づいて送信される既存の方式を示す。図１５から、予め設定されたDMRSパターンにおけるDMRSは、Y個のリソーススケジューリングユニットのそれぞれにおいて少なくとも1つの連続シンボルを占有することが習得され得る。
【０４０３】
状況1のシナリオでは、チャネル状態は比較的安定しており、Y個のリソーススケジューリングユニットのチャネル状態は、Y個のリソーススケジューリングユニットの共同送信のため類似する。したがって、少量のDMRSがデータ復調のために送信される必要がある。DMRSが図１５における各リソーススケジューリングユニットにおいて送信されるので、リソースの浪費が引き起こされる。
【０４０４】
しかし、この出願のこの実施形態では、集約モードにおいて、DMRSは、集約送信においてY個のリソーススケジューリングユニットの最初のY1個のリソーススケジューリングユニットのシンボルのみを占有し、それにより、DMRSにより占有されるリソースを低減し、リソースの浪費を回避し、ネットワーク性能を改善する。
【０４０５】
任意選択で、実施形態では、現在のモードが集約モードであるとき、集約モードは、Y個のリソーススケジューリングユニットの集約送信に対応し、Yは2以上の整数である。上記の状況2について、この出願のこの実施形態では、図１６に示すように、現在のモードに対応するDMRSパターンにおけるDMRSは、Y個のリソーススケジューリングユニットのそれぞれにおいてL1個のグループのシンボルを占有し、L1はL未満の整数であり、L1個のグループのシンボルは互いに隣接せず、L1個のグループのシンボルのそれぞれは、少なくとも1つの連続シンボルを含む。図１６は、L1=1であり、1つのグループのシンボルが1つのシンボルを含む場合を示す。
【０４０６】
図１７は、DMRSが依然として集約モードにおいて図６に示す予め設定されたパターンにおける位置に基づいて送信される既存の方式を示す。図１７から、予め設定されたDMRSパターンにおけるDMRSは、Y個のリソーススケジューリングユニットのそれぞれにおいてL個のグループのシンボルを占有し、Lは2以上の整数であり、L個のグループのシンボルは互いに隣接せず、L個のグループのシンボルそれぞれは、少なくとも1つの連続シンボルを含むことが習得され得る。
【０４０７】
図１７から、集約モードにおいて、各リソーススケジューリングユニット内のDMRSは、L個のグループのシンボルを占有することが習得され得る。しかし、集約モードにおいて、複数のリソーススケジューリングユニットは共同送信を実行する。したがって、共同送信における複数のリソーススケジューリングユニットのチャネルは、特定の関連性の関係を有する。したがって、データは、比較的少量のDMRSのみを使用することにより正確に復調され得る。しかし、L個のグループのDMRSが図１７における各リソーススケジューリングユニットで送信されるので、リソースの浪費が引き起こされる。
【０４０８】
しかし、この出願のこの実施形態では、集約モードにおいて、DMRSは、集約送信においてY個のリソーススケジューリングユニットのそれぞれにおけるL1個のグループのシンボルのみを占有し、それにより、DMRSにより占有されるリソースを低減し、リソースの浪費を回避し、ネットワーク性能を改善する。
【０４０９】
図１６は、Lが2である例を記載しているが、この出願のこの実施形態はそのことに限定されないことが理解されるべきである。各リソーススケジューリングユニット内のDMRSは、複数のグループのシンボルを占有してもよく、例えば、3つのグループ、4つのグループ又はより多くのグループのシンボルを占有してもよい。同様に、図１６は、L1=1である場合のみを示すが、L1がL未満であるという条件で、この出願のこの実施形態はそのことに限定されない。
【０４１０】
図１７は、DMRSが依然として周波数ホッピングモードにおいて図６に示す予め設定されたパターンにおける位置に基づいて送信される既存の方式を示すことに留意すべきである。図１７から、全体の集約リソース内のDMRSは均一に分布していないことが習得され得る。受信端は、DMRSを使用することにより後続のデータを復調する必要があり、隣接するDMRSシンボルの間の間隔は均一でないので、2つの隣接するグループのDMRSシンボルの間の間隔が比較的大きく、受信端が以前に送信されたDMRSを受信した後に、受信端は、DMRSを使用することにより後続のデータを復調する必要がある。間隔が比較的大きいので、チャネル状態は比較的大きく変動する可能性があり、データは十分に正確には復調されない可能性がある。同様に、2つの隣接するグループのDMRSシンボルの間の間隔が比較的小さいとき、チャネル状態は比較的安定している可能性があり、受信端デバイスは、比較的短いシンボル間隔の後に1つのグループのDMRSを更に受信し、リソースの浪費を引き起こす。
【０４１１】
代替として、この出願のこの実施形態では、図１８に示すように、現在のモードに対応するDMRSパターンにおけるDMRSは、Y個のリソーススケジューリングユニットのそれぞれにおいてL個のグループのシンボルを占有し、現在のモードに対応するDMRSパターンにおけるDMRSにより占有されるY*Lグループのシンボルのうちいずれか2つの隣接するグループのシンボルの間の間隔間の最大の差は、S個のシンボルであり、S<Rである。予め設定されたDMRSパターンにおけるDMRSにより占有されるY*Lグループのシンボルのうちいずれか2つの隣接するグループのシンボルの間の間隔間の最大の差は、R個のシンボルである。例えば、図１７に示すように、2つの接続されたグループのシンボルの間の間隔の最大値は8個のシンボルであり、2つの接続されたグループのシンボルの間の間隔の最小値は4個のシンボルであるので、R=8-4=4である。図１８に示すように、2つの接続されたグループのシンボルの間の間隔の最大値は6個のシンボルであり、2つの接続されたグループのシンボルの間の間隔の最小値は6個のシンボルであるので、S=6-6=0である。
【０４１２】
したがって、この出願のこの実施形態では、集約モードにおいて、集約送信におけるY個のリソーススケジューリングユニット内にあり且つDMRSにより占有されるシンボルは、比較的均一に分布し、それにより、復調性能を改善し、リソースの浪費を回避し、ネットワーク性能を改善する。
【０４１３】
DMRSにより占有される1つのグループのシンボル内のシンボルの数量は、ここでは限定されず、1つのグループのシンボルは、少なくとも1つのシンボルを含んでもよく、例えば、1つのシンボル、2つのシンボル又は3つのシンボルを含んでもよいことが理解されるべきである。この出願のこの実施形態はそのことに限定されない。
【０４１４】
上記の実施形態の例は、当業者がこの出願の実施形態を理解するのを助けることのみを意図しており、この出願の実施形態を、例を使用することにより記載された具体的な値又は具体的なシナリオに限定することを意図するものではないことに留意すべきである。当業者は、明らかに、上記の例に従って様々な等価な修正又は変更を行うことができ、このような修正又は変更も、この出願の実施形態の範囲に入る。
【０４１５】
この出願の実施形態によるDMRS送信方法について、図１〜図３７を参照して詳細に上述し、この出願の実施形態による通信デバイスについて、図１９を参照して以下に詳細に説明する。
【０４１６】
図１９は、この出願の実施形態による通信デバイス1900の概略ブロック図である。通信デバイスは、ネットワークデバイス又は端末デバイスでもよい。具体的には、図１９に示すように、通信デバイス1900は、プロセッサ1910及びトランシーバ1920を含む。
【０４１７】
プロセッサは、リソーススケジューリングユニットの現在のモードを決定するように構成され、現在のモードは、周波数ホッピングモード又は集約モードであり、周波数ホッピングモードは、1つのリソーススケジューリングユニット内のいくつかのシンボルが第1の周波数帯域に位置し、いくつかの他のシンボルが第2の周波数帯域に位置することを示し、集約モードは、複数のリソーススケジューリングユニットの集約送信を示す。
【０４１８】
トランシーバは、現在のモードに対応するDMRSパターンを使用することにより、DMRSマッピング又はデマッピングを実行するように構成され、現在のモードに対応するDMRSパターンにおけるDMRSにより占有されるシンボルの位置は、予め設定されたDMRSパターンにおけるDMRSにより占有されるシンボルの位置とは異なる。
【０４１９】
したがって、この出願のこの実施形態での現在のモードにおけるDMRSパターンは、予め設定されたパターンとは異なり、DMRSにより占有されるシンボルの位置は、この出願のこの実施形態では、異なるモードに基づいて柔軟に選択できる。したがって、この出願のこの実施形態では、異なるモードの要件が満たされることができ、それにより、ネットワーク性能を改善する。
【０４２０】
任意選択で、他の実施形態では、現在のモードは周波数ホッピングモードであり、
予め設定されたDMRSパターンにおけるDMRSは、周波数ホッピングなしで1つのリソーススケジューリングユニット内のN個の連続シンボルを占有し、Nは1以上の整数であり、
現在のモードに対応するDMRSパターンにおけるDMRSは、第1の周波数帯域内のN1個の連続シンボル及び第2の周波数帯域内のN2個の連続シンボルを占有し、N1は1以上の整数であり、N2は1以上の整数である。
【０４２１】
任意選択で、他の実施形態では、N1=N2であり、第1の周波数帯域内のN1個のシンボルの位置は、第2の周波数帯域内のN2個のシンボルの位置と対称的である。
【０４２２】
任意選択で、他の実施形態では、N2個のシンボルは、第2の周波数帯域内の第1シンボルを含む。
【０４２３】
任意選択で、他の実施形態では、現在のモードは周波数ホッピングモードであり、
予め設定されたDMRSパターンにおけるDMRSは、周波数ホッピングなしで1つのリソーススケジューリングユニット内のM個の連続シンボル及びK個の連続シンボルを占有し、M個のシンボルはK個のシンボルに隣接せず、
現在のモードに対応するDMRSパターンにおけるDMRSは、第1の周波数帯域内のシンボルのうちM1個の連続シンボル及びK1個の連続シンボルと、第2の周波数帯域内のM2個の連続シンボル及びK2個の連続シンボルとを占有し、M1個のシンボルはK1個のシンボルに隣接せず、M2個のシンボルはK2個のシンボルに隣接せず、M、K、M1、K1、M2及びK2は1以上の整数である。
【０４２４】
任意選択で、他の実施形態では、M1=M2であり、K1=K2であり、第1の周波数帯域内のM1個のシンボル及びK1個のシンボルの位置は、第2の周波数帯域内のM2個のシンボル及びK2個のシンボルの位置と対称的である。
【０４２５】
任意選択で、他の実施形態では、M2個のシンボルは、第2の周波数帯域内の第1シンボルを含む。
【０４２６】
任意選択で、他の実施形態では、予め設定されたDMRSパターンにおけるDMRSは、周波数ホッピングなしで1つのリソーススケジューリングユニット内のP個の連続シンボルを更に占有し、P個のシンボルはM個のシンボルにもK個のシンボルにも隣接せず、
現在のモードに対応するDMRSパターンにおけるDMRSは、第1の周波数帯域内のシンボルのうちP1個の連続シンボルと、第2の周波数帯域内のP2個の連続シンボルとを更に占有し、P1個のシンボルはM1個のシンボルにもK1個のシンボルにも隣接せず、P2個のシンボルはM2個のシンボルにもK2個のシンボルにも隣接せず、P、P1及びP2は1以上の整数である。
【０４２７】
任意選択で、他の実施形態では、現在のモードは集約モードであり、複数のリソーススケジューリングユニットの数量はYであり、Yは2以上の整数であり、
予め設定されたDMRSパターンにおけるDMRSは、Y個のリソーススケジューリングユニットのそれぞれにおいて少なくとも1つの連続シンボルを占有し、
現在のモードに対応するDMRSパターンにおけるDMRSは、Y個のリソーススケジューリングユニットの最初のY1個のリソーススケジューリングユニットのそれぞれにおいて少なくとも1つの連続シンボルを占有し、Y1は1以上且つY未満の整数である。
【０４２８】
任意選択で、他の実施形態では、現在のモードは集約モードであり、複数のリソーススケジューリングユニットの数量はYであり、
予め設定されたDMRSパターンにおけるDMRSは、Y個のリソーススケジューリングユニットのそれぞれにおいてL個のグループのシンボルを占有し、Lは2以上の整数であり、L個のグループのシンボルは互いに隣接せず、L個のグループのシンボルのそれぞれは、少なくとも1つの連続シンボルを含み、
現在のモードに対応するDMRSパターンにおけるDMRSは、Y個のリソーススケジューリングユニットのそれぞれにおいてL1個のグループのシンボルを占有し、L1はL未満の整数であり、L1個のグループのシンボルは互いに隣接せず、L1個のグループのシンボルのそれぞれは、少なくとも1つの連続シンボルを含む。
【０４２９】
任意選択で、他の実施形態では、現在のモードは集約モードであり、複数のリソーススケジューリングユニットの数量はYであり、
予め設定されたDMRSパターンにおけるDMRSは、Y個のリソーススケジューリングユニットのそれぞれにおいてL個のグループのシンボルを占有し、現在のモードに対応するDMRSパターンにおけるDMRSは、Y個のリソーススケジューリングユニットのそれぞれにおいてL個のグループのシンボルを占有し、Lは2以上の整数であり、L個のグループのシンボルは互いに隣接せず、L個のグループのシンボルのそれぞれは、少なくとも1つの連続シンボルを含み、
予め設定されたDMRSパターンにおけるDMRSにより占有されるY*L個のグループのシンボルのうちいずれか2つの隣接するグループのシンボルの間の間隔間の最大の差は、R個のシンボルであり、現在のモードに対応するDMRSパターンにおけるDMRSにより占有されるY*L個のグループのシンボルのうちいずれかの2つの隣接するグループのシンボルの間の間隔間の最大の差は、S個のシンボルであり、S<Rである。
【０４３０】
任意選択で、他の実施形態では、通信デバイスはネットワークデバイスであり、トランシーバは、第1の指示情報を端末デバイスに送信するように更に構成され、第1の指示情報は、リソーススケジューリングユニットの現在のモードを決定するために端末デバイスにより使用される。
【０４３１】
任意選択で、他の実施形態では、通信デバイスはネットワークデバイスであり、トランシーバは、第2の指示情報を端末デバイスに送信するように更に構成され、第2の指示情報は、現在のモードに対応するDMRSパターンを示すために使用される。
【０４３２】
任意選択で、他の実施形態では、通信デバイスは端末デバイスであり、トランシーバは、ネットワークデバイスにより送信された第1の指示情報を受信するように更に構成され、第1の指示情報は、リソーススケジューリングユニットの現在のモードを決定するために端末デバイスにより使用され、
プロセッサは、第1の指示情報に従って現在のモードを決定するように具体的に構成される。
【０４３３】
任意選択で、他の実施形態では、通信デバイスは端末デバイスであり、トランシーバは、ネットワークデバイスにより送信された第2の指示情報を受信するように更に構成され、第2の指示情報は、現在のモードに対応するDMRSパターンを示すために使用される。
【０４３４】
したがって、この出願のこの実施形態での現在のモードにおけるDMRSパターンは、予め設定されたパターンとは異なり、DMRSにより占有されるシンボルの位置は、この出願のこの実施形態では、異なるモードに基づいて柔軟に選択できる。したがって、この出願のこの実施形態では、異なるモードの要件が満たされることができ、それにより、ネットワーク性能を改善する。
【０４３５】
図１９に示す通信デバイス1900は、図１〜図３７の方法の実施形態におけるネットワークデバイス又は端末デバイスに関係する各プロセスを実現できることが理解されるべきである。通信デバイス1900内のモジュールの動作及び/又は機能は、それぞれ、上記の方法の実施形態において対応する手順を実現することを意図している。詳細については、上記の方法の実施形態の説明を参照する。繰り返しを避けるために、詳細な説明はここでは適宜省略する。
【０４３６】
この出願のこの実施形態におけるプロセッサ1910は、プロセッサユニット又はチップを使用することにより実現されてもよいことが理解されるべきである。任意選択で、トランシーバ1920は、送信機又は受信機を含んでもよく、或いは送受信機ユニットを含んでもよく、この出願のこの実施形態はそのことに限定されない。
【０４３７】
この出願の実施形態におけるプロセッサ(例えば、図１９におけるプロセッサ1910)は、集積回路チップでもよく、信号処理能力を有することに留意すべきである。実現プロセスにおいて、上記の方法の実施形態におけるステップは、プロセッサ内のハードウェア集積論理回路を使用することにより、或いはソフトウェアの形式の命令を使用することにより実現できる。プロセッサは、汎用プロセッサ、デジタルシグナルプロセッサ(digital  signal  processor,  DSP)、特定用途向け集積回路(application  specific  integrated  circuit,  ASIC)、フィールドプログラマブルゲートアレイ(field  programmable  gate  array,  FPGA)、又は他のプログラマブルロジックデバイス、ディスクリートゲート若しくはトランジスタ論理デバイス又は個別ハードウェアコンポーネントでもよい。これは、この出願の実施形態で開示される方法、ステップ及び論理ブロック図を実現又は実行してもよい。汎用プロセッサはマイクロプロセッサでもよく、或いはプロセッサはいずれか従来のプロセッサ等でもよい。この出願の実施形態を参照して開示される方法のステップは、ハードウェア復号プロセッサを使用することにより直接的に実行及び実現されてもよく、或いは復号プロセッサ内のハードウェア及びソフトウェアモジュールの組み合わせを使用することにより実行及び実現されてもよい。ソフトウェアモジュールは、ランダムアクセスメモリ、フラッシュメモリ、読み取り専用メモリ、プログラム可能読み取り専用メモリ、電気的消去可能プログラム可能メモリ又はレジスタのような、当該技術分野における成熟した記憶媒体に位置してもよい。記憶媒体はメモリに位置し、プロセッサはメモリ内の情報を読み取り、プロセッサのハードウェアと組み合わせて上記の方法のステップを完了する。
【０４３８】
この出願の実施形態におけるメモリ(例えば、図１９におけるメモリ1930)は、揮発性メモリ又は不揮発性メモリでもよく、或いは揮発性メモリと不揮発性メモリとの双方を含んでもよいことが理解されるべきである。不揮発性メモリは、読み取り専用メモリ(Read-Only  Memory,  ROM)、プログラム可能読み取り専用メモリ(Programmable  ROM,  PROM)、消去可能プログラム可能読み取り専用メモリ(Erasable  PROM,  EPROM)、電気的消去可能プログラム可能読み取り専用メモリ(Electrically  EPROM,  EEPROM)又はフラッシュメモリでもよい。揮発性メモリは、外部キャッシュとして使用されるランダムアクセスメモリ(random  access  memory,  RAM)でもよい。限定的な説明ではなく、例を通じて、多くの形式のRAM、例えば、スタティック・ランダムアクセスメモリ(static  RAM,  SRAM)、ダイナミック・ランダムアクセスメモリ(dynamic  RAM,  DRAM)、シンクロナス・ダイナミック・ランダムアクセスメモリ(synchronous  DRAM,  SDRAM)、ダブルデータレート・シンクロナス・ダイナミック・ランダムアクセスメモリ(double  data  rate  SDRAM,  DDR  SDRAM)、拡張シンクロナス・ダイナミック・ランダムアクセスメモリ(enhanced  SDRAM,  ESDRAM)、シンクロナス・リンク・ダイナミック・ランダムアクセスメモリ(synchlink  DRAM,  SLDRAM)及びダイレクト・ランバス・ダイナミック・ランダムアクセスメモリ(direct  rambus  RAM,  DR  RAM)が使用されてもよい。この明細書に記載されるシステム及び方法のメモリは、これら及び他の適切なタイプのいずれかのメモリを含むが、これらに限定されないことに留意すべきである。
【０４３９】
この出願の実施形態は、コンピュータプログラムを記憶するコンピュータ読み取り可能媒体を更に提供する。コンピュータにより実行されたとき、コンピュータプログラムは、上記の方法の実施形態のいずれか1つによるDMRS送信方法を実現する。
【０４４０】
この出願の実施形態は、コンピュータプログラムプロダクトを更に提供する。コンピュータにより実行されたとき、コンピュータプログラムプロダクトは、上記の方法の実施形態のいずれか1つによるDMRS送信方法を実現する。
【０４４１】
上記の実施形態の全部又は一部は、ソフトウェア、ハードウェア、ファームウェア又はこれらのいずれかの組み合わせを使用することにより実現されてもよい。ソフトウェアが実施形態を実現するために使用されるとき、実施形態は、コンピュータプログラムプロダクトの形式で完全に或いは部分的に実現されてもよい。コンピュータプログラムプロダクトは、1つ以上のコンピュータ命令を含む。コンピュータ命令がコンピュータ上にロードされて実行されたとき、この出願の実施形態による手順又は機能が、全て或いは部分的に生成される。コンピュータは、汎用コンピュータ、専用コンピュータ、コンピュータネットワーク又は他のプログラム可能装置でもよい。コンピュータ命令は、コンピュータ読み取り可能記憶媒体に記憶されてもよく、或いはコンピュータ読み取り可能記憶媒体から他のコンピュータ読み取り可能記憶媒体に送信されてもよい。例えば、コンピュータ命令は、有線(例えば、同軸ケーブル、光ファイバ又はデジタル加入者線(DSL))又は無線(例えば、赤外線、無線及びマイクロ波)方式で、ウェブサイト、コンピュータ、サーバ又はデータセンタから、他のウェブサイト、コンピュータ、サーバ又はデータセンタに送信されてもよい。コンピュータ読み取り可能記憶媒体は、コンピュータによりアクセス可能ないずれかの使用可能媒体、又は1つ以上の使用可能媒体を統合するサーバ若しくはデータセンタのようなデータ記憶装置でもよい。使用可能媒体は、磁気媒体(例えば、フロッピーディスク、ハードディスク又は磁気テープ)、光媒体(例えば、高密度デジタルビデオディスク(digital  video  disc,  DVD))、半導体媒体(例えば、ソリッドステートディスク(solid  state  disk,  SSD))等でもよい。
【０４４２】
この出願の実施形態は、プロセッサ及びインターフェースを含む処理装置を更に提供し、プロセッサは、上記の方法の実施形態のいずれか1つによるDMRS送信方法を実行するように構成される。
【０４４３】
上記の処理装置は、チップでもよく、プロセッサは、ハードウェアを使用することにより実現されてもよく、或いはソフトウェアを使用することにより実現されてもよいことが理解されるべきである。プロセッサがハードウェアを使用することにより実現されるとき、プロセッサは、論理回路、集積回路等でもよく、或いはプロセッサがソフトウェアを使用することにより実現されるとき、プロセッサは、汎用プロセッサでもよく、メモリに記憶されたソフトウェアコードを読み取ることにより実現されてもよく、メモリは、プロセッサ内に統合されてもよく、或いはプロセッサの外部に位置して独立して存在してもよい。
【０４４４】
全体の明細書において言及される「一実施形態」又は「実施形態」は、当該実施形態に関係する特定の特徴、構造又は特性がこの出願の少なくとも1つの実施形態に含まれることを意味するのではないことが理解されるべきである。したがって、明細書に現れる「一実施形態では」又は「実施形態では」は、同じ実施形態を示さない。さらに、これらの特定の特徴、構造又は特性は、1つ以上の実施形態において、いずれか適切な方式を使用することにより組み合わせられてもよい。上記のプロセスのシーケンス番号は、この出願の様々な実施形態における実行シーケンスを意味するのではないことが理解されるべきである。プロセスの実行シーケンスは、プロセスの機能及び内部論理に従って決定されるべきであり、この出願の実施形態の実現プロセスに対する限定として解釈されるべきではない。
【０４４５】
さらに、「システム」及び「ネットワーク」という用語は、この明細書では互換的に使用されてもよい。この明細書における「及び/又は」という用語は、関連するオブジェクトを記述するための関連性の関係のみを記述し、3つの関係が存在し得ることを表す。例えば、A及び/又はBは、以下の3つの場合、すなわち、Aのみが存在する場合、AとBとの双方が存在する場合、及びBのみが存在する場合を表してもよい。さらに、この明細書における「/」という文字は、一般的に、関連するオブジェクトの間の「又は」の関係を示す。
【０４４６】
この出願の実施形態において、「Aに対応するB」は、BがAに関連し、BがAに従って決定されてもよいことを示すことが理解されるべきである。しかし、Aに従ってBを決定することは、BがAのみに従って決定されることを意味するのではなく、すなわち、BがA及び/又は他の情報に従って決定されてもよいことが更に理解されるべきである。
【０４４７】
当業者は、この明細書に開示される実施形態に記載の例と組み合わせて、ユニット及びアルゴリズムステップが、電子ハードウェア、コンピュータソフトウェア又はこれらの組み合わせにより実現されてもよいことを認識し得る。ハードウェアとソフトウェアとの間の互換性を明確に説明するために、上記は、一般的に、機能に従って各例の構成及びステップについて説明した。機能がハードウェアにより実行されるかソフトウェアにより実行されるかは、技術的解決策の特定の用途及び設計上の制約に依存する。当業者は、特定の用途毎に、記載の機能を実現するために異なる方法を使用し得るが、実現方式がこの出願の範囲を超えるものと考えられるべきではない。
【０４４８】
便宜的且つ簡単な説明のため、上記のシステム、装置及びユニットの詳細な動作プロセスについては、上記の方法の実施形態における対応するプロセスに参照が行われてもよく、詳細はここでは再び説明しないことが当業者により明確に理解され得る。
【０４４９】
この出願において提供されるいくつかの実施形態では、開示されたシステム、装置及び方法は、他の方式で実現されてもよいことが理解されるべきである。例えば、記載の装置の実施形態は、単なる例である。例えば、ユニット分割は、単なる論理的な機能分割であり、実際の実現方式では他の分割でもよい。例えば、複数のユニット又はコンポーネントは、他のシステムに結合又は統合されてもよく、或いはいくつかの特徴は、無視されてもよく或いは実行されなくてもよい。さらに、表示又は議論された相互結合又は直接結合又は通信接続は、いくつかのインターフェース、装置若しくはユニットの間の間接結合若しくは通信接続、又は電気接続、機械接続若しくは他の形式の接続を通じて実現されてもよい。
【０４５０】
別個の部分として記載されるユニットは、物理的に別個でもよく或いは別個でなくてもよく、ユニットとして表示される部分は、物理的ユニットでもよく或いは物理的ユニットでなくてもよく、1つの位置に位置してもよく、或いは複数のネットワークユニットに分散されてもよい。ユニットの一部又は全部は、この出願の実施形態の解決策の目的を達成するために、実際の要件に従って選択されてもよい。
【０４５１】
さらに、この出願の実施形態における機能ユニットは、1つの処理ユニットに統合されてもよく、或いはユニットのそれぞれは、物理的に単独で存在してもよく、或いは2つ以上のユニットは、1つのユニットに統合されてもよい。統合されたユニットは、ハードウェアの形式で実施されてもよく、或いはソフトウェア機能ユニットの形式で実現されてもよい。
【０４５２】
上記の実現方式の説明により、当業者は、この出願がハードウェア、ファームウェア又はこれらの組み合わせにより実現されてもよいことを明確に理解し得る。本発明がソフトウェアにより実現されるとき、上記の機能は、コンピュータ読み取り可能媒体に記憶されてもよく、或いはコンピュータ読み取り可能媒体内の1つ以上の命令又はコードとして送信されてもよい。コンピュータ読み取り可能媒体は、コンピュータ記憶媒体及び通信媒体を含み、通信媒体は、コンピュータプログラムが1つの場所から他の場所に送信されることを可能にするいずれかの媒体を含む。記憶媒体は、コンピュータにアクセス可能ないずれかの利用可能な媒体でもよい。以下に例を提供するが、限定を課すものではない。コンピュータ読み取り可能媒体は、RAM、ROM、EEPROM、CD-ROM又は他の光ディスクストレージ若しくはディスク記憶媒体、又は他の磁気記憶デバイス、又は命令若しくはデータ構造の形式で期待されるプログラムコードを搬送又は記憶でき且つコンピュータによりアクセスできるいずれかの他の媒体を含んでもよい。さらに、いずれかの接続は、コンピュータ読み取り可能媒体として適宜定義されてもよい。例えば、ソフトウェアが、同軸ケーブル、光ファイバ/ケーブル、ツイストペア、デジタル加入者線(DSL)又は赤外線、無線及びマイクロ波のような無線技術を使用することによりウェブサイト、サーバ又は他のリモートソースから送信される場合、同軸ケーブル、光ファイバ/ケーブル、ツイストペア、DSL又は赤外線、無線及びマイクロ波のような無線技術は、これらが属する媒体の固定に含まれる。この出願により使用されるディスク(Disk)及びディスク(disc)は、コンパクトディスクCD、レーザディスク、光ディスク、デジタル多目的ディスク(DVD)、フロッピーディスク及びブルーレイディスクを含み、ディスク(Disk)は、一般的に磁気方式でデータをコピーし、ディスク(disc)は、レーザー方式で光学的にデータをコピーする。上記の組み合わせもまた、コンピュータ読み取り可能媒体の保護範囲に含まれるべきである。
【０４５３】
要するに、上述したものは、この出願の技術的解決策の単なる例示的な実施形態であり、この出願の保護範囲を限定することを意図するものではない。この出願の真意及び原理から逸脱することなく行われる修正、等価置換又は改良は、この出願の保護範囲に入るものとする。
【図１】
0006910465.tif 000003
【図２】
0006910465.tif 000004
【図３】
0006910465.tif 000005
【図４】
0006910465.tif 000006
【図５】
0006910465.tif 000007
【図６】
0006910465.tif 000008
【図７】
0006910465.tif 000009
【図８】
0006910465.tif 000010
【図９】
0006910465.tif 000011
【図１０】
0006910465.tif 000012
【図１１】
0006910465.tif 000013
【図１２】
0006910465.tif 000014
【図１３】
0006910465.tif 000015
【図１４】
0006910465.tif 000016
【図１５】
0006910465.tif 000017
【図１６】
0006910465.tif 000018
【図１７】
0006910465.tif 000019
【図１８】
0006910465.tif 000020
【図１９】
0006910465.tif 000021
【図２０】
0006910465.tif 000022
【図２１】
0006910465.tif 000023
【図２２】
0006910465.tif 000024
【図２３】
0006910465.tif 000025
【図２４】
0006910465.tif 000026
【図２５】
0006910465.tif 000027
【図２６】
0006910465.tif 000028
【図２７】
0006910465.tif 000029
【図２８】
0006910465.tif 000030
【図２９】
0006910465.tif 000031
【図３０】
0006910465.tif 000032
【図３１】
0006910465.tif 000033
【図３２】
0006910465.tif 000034
【図３３】
0006910465.tif 000035
【図３４】
0006910465.tif 000036
【図３５】
0006910465.tif 000037
【図３６】
0006910465.tif 000038
【図３７】
0006910465.tif 000039